(57)【要約】【課題】遊技球の飛び込みを防止する部分で遊技球の動きによる演出が可能な遊技機を提供する。【解決手段】遊技盤１３に配設した枠状装飾体に、遊技領域１３ａに球入口が開口する球導入部３２が設けられる。枠状装飾体２９に、球導入部３２の球出口３２ｃから通出するパチンコ球を受け入れるステージ３１が設けられる。ステージ３１は、パチンコ球が左右方向に移動可能な第１球転動部３３ａおよび第２球転動部３４ａが前後の関係で並んで設けられる。前側に位置する第１球転動部３３ａが形成される第１ステージ部材３３の前端部と前枠の透明板１４ａとの隙間は、パチンコ球の直径より小さく設定されて、第１ステージ部材３３ａより下側の遊技領域１３ａからの遊技球の第１球転動部３３ａへの飛び込みを防止するよう構成される。【選択図】図８
2014236933.tif 000002
【特許請求の範囲】
【請求項１】
遊技球が流下可能な遊技領域が盤面に画成された遊技盤と、該遊技盤の前側に離間して位置し、前記遊技領域を視認可能に保護する透明部材と、前記遊技盤に配設されて遊技領域に臨み、枠状に形成された枠状装飾体とを備えた遊技機において、
前記遊技盤の盤面より前方に突出する乗上防止部と、
前記乗上防止部上に設けられ、前記遊技領域に開口する球入口から取り込まれた遊技球が上面を移動可能なステージ部と、
前記ステージ部から遊技球が移動可能で、該遊技球が上面を移動可能な別のステージ部と、
前記別のステージ部に設けられ、該別のステージ部の遊技球を前記遊技領域に排出する排出部とを備え、
前記乗上防止部の前端部と前記透明部材との隙間は、遊技球の直径より小さく設定されて、該乗上防止部より下側の遊技領域からの遊技球のステージ部への飛び込みを防止するよう構成された
ことを特徴とする遊技機。
【請求項２】
前記遊技盤における前記枠状装飾体より下方位置に、前記遊技領域を流下する遊技球が入賞可能な入賞装置が設けられ、
前記ステージ部に、該ステージ部の遊技球を前記遊技領域に排出する球排出経路が接続され、
前記球排出経路から遊技領域に排出される遊技球が前記入賞装置に入賞する確率が、前記別のステージ部(24)の排出部から遊技領域に排出される遊技球が前記入賞装置に入賞する確率より高く設定される請求項１記載の遊技機。
【請求項３】
前記遊技盤の盤面から前方に突出し、前記球入口が一端で開口すると共に他端に球出口が開口し、該球入口と球出口とを通路で接続する球導入部を備え、
前記ステージ部は、少なくとも一部が遊技盤の盤面より前側に位置し、
前記球導入部は、前記遊技盤の盤面より前側に位置するステージ部の左右何れかの端部に前記球出口が接続される請求項１または２記載の遊技機。
【請求項４】
前記乗上防止部は、前記ステージ部の前端縁に沿って立上がる規制壁が設けられる請求項３記載の遊技機。
【請求項５】
前記遊技盤の盤面より前側に位置するステージ部は、前記別のステージ部より左右方向に長く延在するよう構成される請求項１〜４の何れか一項に記載の遊技機。
【発明の詳細な説明】
【技術分野】
【０００１】
本発明は、遊技盤の盤面に画成された遊技領域を遊技球が流下する遊技機に関するものである。
【背景技術】
【０００２】
例えば遊技機の代表例の一つであるパチンコ機は、機内にセットされる遊技盤の盤面に画成した遊技領域の略中央位置に枠状の枠状装飾体(所謂センター役物)が配設されており、この枠状装飾体の窓口を介して複数の図柄を変動表示して図柄変動演出を行なう液晶式やドラム式等の図柄表示装置を後方から臨ませると共に、該遊技盤における枠状装飾体の下方位置に、図柄表示装置の変動開始条件を発生させる始動入賞装置(入賞装置)を配設するよう構成したものが多数提案されている。そして、この種の遊技機では、前記遊技領域に打ち出されたパチンコ球(遊技球)が前記始動入賞装置に入賞することにより、前記図柄表示装置で図柄変動演出が開始されてリーチ演出等の各種の遊技演出がなされ、該図柄表示装置に図柄が所定の組合わせ(例えば同一図柄の３つ揃い)で停止すると、遊技者に有利な所謂大当りが発生するようになっている。このように、大当りが発生するためには、前記始動入賞装置へのパチンコ球の入賞が必要とされることから、遊技者は、前記図柄表示装置での図柄変動演出と同様に、始動入賞装置へのパチンコ球の入賞に対しても大きな関心を持っている。
【０００３】
そこで、前記枠状装飾体の下縁部に、パチンコ球が左右方向に転動可能な所謂ステージを設けると共に、遊技領域に開口してステージに連通する球通路を前記枠状装飾体に設けて、遊技領域を流下するパチンコ球をステージに一旦受け入れて、パチンコ球をステージ上で転動させた後に遊技領域へ排出させることで、パチンコ球の動きを楽しませるよう構成した遊技機が知られている(例えば、特許文献１参照)。特許文献１に記載のパチンコ機では、ステージにおける左右方向の中央位置に、奥側で開口する誘導流下路が形成され、該誘導流下路が、前記始動入賞装置の真上で開口するように枠状装飾体に形成された導出口に連通するよう構成されている。
【先行技術文献】
【特許文献】
【０００４】
【特許文献１】特開２０１０−２２７５９７号公報
【発明の概要】
【発明が解決しようとする課題】
【０００５】
前記特許文献１のパチンコ機では、遊技盤の前面を保護するガラス板とステージの前端との間は、パチンコ球の直径より大きく設定されており、前記球通路に入ることなく遊技領域を流下したパチンコ球が、遊技釘や風車等の遊技部品に当って跳ねることでステージに飛び込み、該パチンコ球がステージ上で跳ねて図柄表示装置の表示面に当ったりステージと奥側の遊技部品との間に入り込んでしまうおそれがある。そこで、ステージの後側に、上方に延出する壁部を設けて、該壁部によってステージの奥側にパチンコ球が入り込むのを防止することが提案される。しかしながら、前記壁部は遊技演出に寄与しないばかりか、目障となったり図柄表示装置で実行される図柄変動演出の視認性を低下させるおそれもある。
【０００６】
すなわち本発明は、従来の技術に係る遊技機に内在する前記課題に鑑み、これを好適に解決するべく提案されたものであって、遊技球の飛び込みを防止する部分で遊技球の動きによる演出が可能な遊技機を提供することを目的とする。
【０００７】
前記課題を解決するために、本願の請求項１に記載の発明では、
遊技球が流下可能な遊技領域(13a)が盤面に画成された遊技盤(13)と、該遊技盤(13)の前側に離間して位置し、前記遊技領域(13a)を視認可能に保護する透明部材(14a)と、前記遊技盤(13)に配設されて遊技領域(13a)に臨み、枠状に形成された枠状装飾体(29)とを備えた遊技機において、
前記遊技盤(13)の盤面より前方に突出する乗上防止部(33)と、
前記乗上防止部(33)上に設けられ、前記遊技領域(13a)に開口する球入口(32a)から取り込まれた遊技球が上面を移動可能なステージ部(33a,34a)と、
前記ステージ部(33a,34a)から遊技球が移動可能で、該遊技球が上面を移動可能な別のステージ部(35a)と、
前記別のステージ部(35a)に設けられ、該別のステージ部(35a)の遊技球を前記遊技領域(13a)に排出する排出部(35f,35g,42a,42b)とを備え、
前記乗上防止部(33)の前端部と前記透明部材(14a)との隙間は、遊技球の直径より小さく設定されて、該乗上防止部(33)より下側の遊技領域(13a)からの遊技球のステージ部(33a,34a)への飛び込みを防止するよう構成されたことを要旨とする。
【０００８】
請求項１の発明によれば、遊技領域からの遊技球の飛び込みが防止された乗上防止部上で、球入口から取り込まれた遊技球を移動させ得るよう構成したので、該乗上防止部を利用して遊技球に多様な動きを付与することが可能となり、演出の興趣を向上し得る。
【０００９】
請求項２に記載の発明では、前記遊技盤(13)における前記枠状装飾体(29)より下方位置に、前記遊技領域(13a)を流下する遊技球が入賞可能な入賞装置(52)が設けられ、
前記ステージ部(33a,34a)に、該ステージ部(33a,34a)の遊技球を前記遊技領域(13a)に排出する球排出経路(40)が接続され、
前記球排出経路(40)から遊技領域(13a)に排出される遊技球が前記入賞装置(52)に入賞する確率が、前記別のステージ部(35a)の排出部(35f,35g,42a,42b)から遊技領域(13a)に排出される遊技球が前記入賞装置(52)に入賞する確率より高く設定されることを要旨とする。
請求項２の発明によれば、排出された遊技球が入賞装置に入賞する確率が高いステージ部には遊技領域から遊技球が飛び込まないよう構成したので、入賞装置に入賞する割合の調整が容易となる。
【００１０】
請求項３に記載の発明では、前記遊技盤(13)の盤面から前方に突出し、前記球入口(32a)が一端で開口すると共に他端に球出口(32c)が開口し、該球入口(32a)と球出口(32c)とを通路(32b)で接続する球導入部(32)を備え、
前記ステージ部(33a,34a)は、少なくとも一部が遊技盤(10)の盤面より前側に位置し、
前記球導入部(32)は、前記遊技盤(13)の盤面より前側に位置するステージ部(33a)の左右何れかの端部に前記球出口(32c)が接続されることを要旨とする。
請求項３の発明によれば、球導入部によって遊技領域から乗上防止部への遊技球の飛び込みを防止することができる。
【００１１】
請求項４に記載の発明では、前記乗上防止部(33)は、前記ステージ部(33a,34a)の前端縁に沿って立上がる規制壁(33c)が設けられることを要旨とする。
請求項４の発明によれば、乗上防止部のステージ部を移動する遊技球が透明部材に接触するのを防止することができる。
【００１２】
請求項５に記載の発明では、前記遊技盤(13)の盤面より前側に位置するステージ部(33a)は、前記別のステージ部(35a)より左右方向に長く延在するよう構成されることを要旨とする。
請求項５の発明によれば、別のステージ部より乗上防止部のステージ部を左右方向に長く延在するようにしたので、該乗上防止部を利用した遊技球の動きを長く楽しませることが可能となる。
【発明の効果】
【００１３】
本発明に係る遊技機によれば、遊技球の飛び込みを防止する部分を利用して遊技球の動きを楽しませることができる。
【図面の簡単な説明】
【００１４】
【図１】実施例に係るパチンコ機を示す正面図である。
【図２】実施例に係る遊技盤の正面図であって、可動演出装置の装置本体が原点位置に位置すると共に第１可動部材および第２可動部材が待機位置にある状態で示している。
【図３】実施例に係る遊技盤、設置部材および図柄表示装置を前側から見た分解斜視図である。
【図４】実施例に係る遊技盤を、全ての遊技部品を取り外して前側から見た斜視図である。
【図５】実施例に係るステージを前側から見た概略斜視図である。
【図６】実施例に係るステージを後側から見た概略斜視図である。
【図７】実施例に係るステージの横断平面図である。
【図８】実施例に係るステージの縦断側面図である。
【図９】実施例に係るステージを、第２球転動部の位置で縦断して示す正面図である。
【図１０】実施例に係るステージを前側から見た分解斜視図である。
【図１１】実施例に係るステージを後側から見た分解斜視図である。
【図１２】実施例に係る枠状装飾体における第２緩衝部材の配設部位を前側から見た要部概略斜視図である。
【図１３】実施例に係る枠状装飾体から第２緩衝部材を分解した状態を前側から見た要部概略斜視図である。
【図１４】実施例に枠状装飾体における第２緩衝部材の配設部位を縦断して示す正面図である。
【図１５】実施例に係る第１サイド装飾体を前側から見た概略斜視図である。
【図１６】実施例に係る第１サイド装飾体を前側から見た分解斜視図である。
【図１７】実施例に係る第１サイド装飾体を後側から見た分解斜視図である。
【図１８】実施例に係る第１サイド装飾体に設けられる第１球通過ゲートを前側から見た要部分解斜視図である。
【図１９】実施例に係るスイッチ保持体を示す底面図である。
【図２０】実施例に係る第１サイド装飾体における第１球通過ゲートの配設部位の横断平面図である。
【図２１】実施例に係る第１サイド装飾体における第１球通過ゲートの配設部位の縦断側面図である。
【図２２】実施例に係る遊技盤における第２サイド装飾体の配設部位を拡大して示す要部正面図である。
【図２３】実施例に係る第２サイド装飾体を前側から見た概略斜視図である。
【図２４】実施例に係る第２サイド装飾体を前側から見た分解斜視図である。
【図２５】実施例に係る第２サイド装飾体を後側から見た分解斜視図である。
【図２６】実施例に係る第２サイド装飾体に設けられる特別入賞装置を前側から見た分解斜視図である。
【図２７】実施例に係るパチンコ機の制御ブロック図である。
【発明を実施するための形態】
【００１５】
次に、本発明に係る遊技機につき、好適な実施例を挙げて、添付図面を参照して以下に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１６】
(パチンコ機１０について)
実施例に係るパチンコ機１０は、図１に示すように、全体として縦長の矩形状に構成されており、遊技者がパチンコ機１０の前面に向かう姿勢でパチンコ遊技を行うことができるよう、パチンコ球の発射操作を行うための操作ハンドル１７が前面右下部に設けられている。このパチンコ機１０には、矩形枠状に形成されて遊技店の図示しない設置枠台に固定される固定枠としての外枠１１の開口前面側に、後述する遊技盤１３(図２参照)を着脱可能に保持する本体枠としての中枠１２が開閉および着脱可能に組付けられると共に、遊技盤１３の後側に、図柄を変動表示可能な表示手段としての図柄表示装置１８(図３参照)が着脱し得るよう配設されている。また、中枠１２の前面側には、遊技盤１３を透視可能に保護する透明板(透明部材)１４ａを窓部に備えた装飾枠としての前枠１４が開閉可能に組付けられると共に、該前枠１４の下方にパチンコ球を貯留する下球受け皿１６が開閉可能に組付けられる。なお、実施例では、前枠１４の下部位置に、パチンコ球を貯留する上球受け皿１５が一体的に組付けられており、前枠１４の開閉に合わせて上球受け皿１５も一体的に開閉するよう構成される。また実施例では、前記図柄表示装置１８としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。
【００１７】
前記前枠１４には、図１に示す如く、下球受け皿１６の右側方に、前記中枠１２に配設された打球発射装置(図示せず)を作動する前記操作ハンドル１７が設けられる。この操作ハンドル１７は、左回転方向に付勢された操作レバー１７ａを備えており、該操作レバー１７ａを右回転するよう遊技者が回動操作することで打球発射装置が作動されて、前記上球受け皿１５に貯留されたパチンコ球が前記遊技盤１３に向けて発射されるようになっている。ここで、前記操作レバー１７ａの回動量に応じて前記打球発射装置によるパチンコ球の打球力が強弱変化するよう構成されており、遊技者が操作レバー１７ａを操作して回動量を調節することで、前記遊技盤１３に形成された第１経路３０ａ(後述)をパチンコ球が流下する所謂「左打ち」と、該遊技盤１３に形成された第２経路３０ｂ(後述)をパチンコ球が流下する所謂「右打ち(ゴム打ち)」とを打ち分け得るようになっている。また、前枠１４の上部に、音声や効果音を出力可能なスピーカ１６３が配設されており、該スピーカ１６３から適宜の音声を出力することで、前記図柄表示装置１８での図柄変動演出に合わせて音声演出を行い得るよう構成されている。
【００１８】
(遊技盤１３について)
前記遊技盤１３は、図２および図３に示すように、前面(盤面)にパチンコ球が流下可能な遊技領域１３ａが画成されたベニヤ板からなる平板状の板部材であって、該遊技盤１３の裏側に、光透過性の合成樹脂材により前方へ開口した箱状に形成されて、前記図柄表示装置１８や後述する可動演出装置Ｅ等が配設される設置部材(設置部)１９が配設されている。遊技盤１３および設置部材１９は、正面視における外郭形状が略整合する大きさおよび形状に形成されて、遊技盤１３の後面に設置部材１９を取着した状態で、設置部材１９が遊技盤１３の後面を全面的に覆うよう構成されている。なお、遊技盤１３をアクリルやポリカーボネート等の合成樹脂材により光透過性を有するよう形成してもよい。この場合には、設置部材１９を不透明な合成樹脂材により形成することで、裏側の構成をパチンコ機１０前方から視認し難くしておくことが好ましい。
【００１９】
図２および図３に示すように、前記遊技盤１３の前面には、左側部の上下隅部に第１および第２盤面保護部材２０ａ,２０ｂが夫々配設されると共に、右側部において上下隅部に亘るように第３盤面保護部材２０ｃが配設されている。これら第１〜第３盤面保護部材２０ａ,２０ｂ,２０ｃの夫々は、遊技盤１３の中心側を向く内縁が円弧状に形成されており、該第１〜第３盤面保護部材２０ａ,２０ｂ,２０ｃの内縁に沿って配設された略円形状に湾曲形成された案内レール(レール部材)２１および第３盤面保護部材(レール部材)２０ｃにより、パチンコ球が流下可能な遊技領域１３ａが画成されている。案内レール２１は、第１盤面保護部材２０ａの下端部から第２盤面保護部材２０ｂおよび第３盤面保護部材２０ｃの上端部の内縁に沿って配設されて、遊技盤１３の左下部から右上部に至るよう左方向に膨出する円弧状に形成された外レール２１ａと、第３盤面保護部材２０ｃの下端部から左側の外レール２１ａの内側に配置されて、遊技盤１３の右下部および左上部に至るよう右方向に膨出する円弧状に形成された内レール２１ｂとから構成される。また、内レール２１ｂは、外レール２１ａとの間に１個のパチンコ球が通過可能な発射通路２２を画成するよう配設されると共に、該内レール２１は、図２に示す如く、前記遊技盤１３の左上部に開放端を臨ませるよう構成されて、前記打球発射装置から発射されたパチンコ球が発射通路２２の下方開口から飛翔して、内レール２１ｂの開放端側から遊技領域１３ａ内に打ち出されるようになっている。実施例では、案内レール２１および第３盤面保護部材２０ｃが、パチンコ球が流下可能な遊技領域１３ａを画成するレール部として機能する。
【００２０】
前記遊技盤１３には、前後に貫通する装着口２３ａ,２３ｂ,２３ｃ,２３ｄが前記遊技領域１３ａ内に複数開設されて(図４参照)、各装着口２３ａ,２３ｂ,２３ｃ,２３ｄに対して各種の遊技部品が前側から取り付けられると共に、遊技領域１３ａの最下部位置には、該遊技領域１３ａに打ち出されたパチンコ球を排出する第１アウト口２４が開設されている。なお、前記装着口の形成数は、遊技盤１３に対して取り付けられる各種の遊技部品の個数や配設位置等により必要に応じて適宜決定される。
【００２１】
図２および図３に示すように、前記遊技盤１３には、前記遊技領域１３ａ内に多数の遊技釘２５が設けられると共に、後述する枠状装飾体２９の左側方に、遊技領域１３ａを流下するパチンコ球の接触に伴って回転する回転案内部材２６が回転自在に支持されており、遊技釘２５や回転案内部材２６との接触によりパチンコ球の流下方向が不規則に変化するよう構成されている。前記回転案内部材２６は、所謂「風車」とも称される部材であって、該回転案内部材２６の回転に伴ってパチンコ球を弾くように左右方向へ放出する部材である。また、前記遊技盤１３には、後述する始動入賞装置５２の第１始動入賞口５３ａと前記回転案内部材２６との間に、該第１始動入賞口５３ａへ向けて下方傾斜する直線状に連続して前記遊技釘２５が設けられると共に、該第１始動入賞口５３ａへ向けて直線状に下方傾斜する遊技釘群の下方位置には、始動入賞装置５２の第２始動入賞口５３ｂ(後述)へ向けて下方傾斜する直線状に連続して遊技釘２５が設けられている。なお、以下の説明では、第１始動入賞口５３ａへ向けて下方傾斜する直線状に連続した遊技釘群を上側案内連釘２７と指称し、第２始動入賞口５３ｂへ向けて下方傾斜する直線状に連続した遊技釘群を下側案内連釘２８と指称するものとする。
【００２２】
すなわち、前記上側案内連釘２７は、前記遊技領域１３ａを流下するパチンコ球を第１始動入賞口５３ａへ案内する案内部として機能し、前記下側案内連釘２８は、遊技領域１３ａを流下するパチンコ球を第２始動入賞口５３ｂへ案内する案内部として機能している。なお、前記上側案内連釘２７および下側案内連釘２８を構成する遊技釘２５は、適宜位置でパチンコ球が通過可能な隙間２７ａ,２８ａが空くよう設けられており、該上下の案内連釘２７,２８上を移動するパチンコ球が後述する第１普通入賞口７３や第１アウト口２４側へ流下し得るようになっている。
【００２３】
(枠状装飾体２９について)
前記遊技盤１３には、前記案内レール２１および第３盤面保護部材２０ｃで囲まれた前記遊技領域１３ａの略中央の大部分が開口する第１装着口２３ａに、前後に開口する窓口(開口部)２９ａが形成された枠状装飾体(装飾体)２９が取り付けられて、該枠状装飾体２９の窓口２９ａを介して図柄表示装置１８の表示部１８ａが遊技盤１３の前面側に臨むよう構成される。枠状装飾体２９は、前記第１装着口２３ａに沿って延在する環状に形成された薄板状の台板２９ｂと、該台板２９ｂの開口内周に沿って後方へ突出する内周壁部２９ｃと、該台板２９ｂの開口内周に沿って設けられて、遊技盤１３の前面より前方へ突出する庇部２９ｄとを備える(図１２参照)。そして、枠状装飾体２９は、第１装着口２３ａ内に内周壁部２９ｃを挿入した状態で、遊技盤１３に台板２９ｂが前側からネジ止めされて、該枠状装飾体２９の外側、具体的には庇部２９ｄと案内レール２１および第３盤面保護部材２０ｃの間にパチンコ球が流下する流下経路３０ａ,３０ｂが画成されるようになっている。なお、枠状装飾体２９を遊技盤１３に取り付けた状態で、庇部２９ｄの後端縁から外方に延出する台板２９ｂが遊技盤１３の前面に沿って延在して、該台板２９ｂの前側をパチンコ球が通り得るようになっている。枠状装飾体２９は、前記台板２９ｂ、内周壁部２９ｃおよび庇部２９ｄの夫々が一体に樹脂形成される構成であっても、別部材として形成される構成であってもよい。
【００２４】
前記枠状装飾体２９の庇部２９ｄは、枠状装飾体２９(台板２９ｂ)の左側縁の略中間位置から上縁および右下縁に亘って連続して延在するよう設けられており、前記図柄表示装置１８における表示部１８ａの前面側を横切ってパチンコ球が流下(落下)するのを規制している。また庇部２９ｄは、最上部位置から左右方向に下方傾斜するよう形成されて、遊技領域１３ａに打ち出されたパチンコ球が庇部２９ｄ上で滞ることなく枠状装飾体２９の左側方または右側方へ誘導案内されるよう形成されている。すなわち、枠状装飾体２９の外側に画成される流下経路３０ａ,３０ｂは、図２に示す如く、該枠状装飾体２９の左側方をパチンコ球が流下する第１経路３０ａ、および枠状装飾体２９の右側方をパチンコ球が流下する第２経路３０ｂに分かれており、前記打球発射装置により遊技領域１３ａ内に発射されたパチンコ球は、到達位置に応じて枠状装飾体２９および内レール２１ｂの間に形成される第１経路３０ａか、或いは枠状装飾体２９および第３盤面保護部材２０ｃの間に形成される第２経路３０ｂの何れかを流下するよう構成される。実施例では、第１経路３０ａを流下するパチンコ球は、後述する始動入賞装置５２の第１および第２始動入賞口５３ａ,５３ｂの何れにも入賞する可能性があるように、前記遊技釘２５の配置や枠状装飾体２９の形状等が設定される。これに対し、第２経路３０ｂを流下するパチンコ球は、始動入賞装置５２の第２始動入賞口５３ｂにのみ入賞する可能性があるように、遊技釘２５の配置や枠状装飾体２９の形状等が設定されて、第２経路３０ｂを流下するパチンコ球が第１始動入賞口５３ａには入賞しないように設定してある。なお、第２経路３０ｂを流下するパチンコ球が第１始動入賞口５３ａに入賞しないようにするのではなく、第１経路３０ａを流下するパチンコ球が第１始動入賞口５３ａに入賞する可能性より低く設定するようにしてもよい。
【００２５】
前記枠状装飾体２９には、図２に示す如く、窓口２９ａの下側(枠状装飾体２９の内周下縁部)に、ステージ３１が配設されると共に、窓口２９ａの左側に、前記第１経路３０ａ(遊技領域１３ａ)に開口して該第１経路３０ａを流下するパチンコ球を枠状装飾体２９の内側(ステージ３１)に取り込む球導入部３２が設けられ、該球導入部３２がステージ３１に連通するよう構成される。そして、球導入部３２からステージ３１に通出されたパチンコ球は、ステージ３１上を左右に転動した後に、後述する各入賞口５３ａ,５３ｂが設けられている遊技領域１３ａに排出される。
【００２６】
(球導入部３２について)
前記枠状装飾体２９の庇部２９ｄにおける左下端の下側に、第１経路３０ａ(遊技領域１３ａ)に開口する球入口３２ａが形成された球導入部３２が前記台板２９ｂの前面に配設されており、該球導入部３２内には球入口３２ａに連通して窓口２９ａ側に延在する通路３２ｂが画成される。球導入部３２の右端部には、図５に示す如く、右方(ステージ３１)に向けて球出口３２ｃが開口し、該球出口３２ｃが前記ステージ３１(後述する第１球転動部３３ａ)の左端部に臨むよう構成される。すなわち、第１経路３０ａから球導入部３２の球入口３２ａに通入したパチンコ球は、内部画成された通路３２ｂを通り、該球導入部３２の球出口３２ｂからステージ３１に通出するよう構成されている。なお、球導入部３２は、通路３２ｂ内を視認可能な透明な合成樹脂材で形成され、該通路３２ｂを通るパチンコ球を前側から視認可能に構成している。すなわち、遊技者にとって関心の高いステージ３１に通入するパチンコ球の状況を、前側から視認可能にしてある。
【００２７】
前記球導入部３２の通路３２ｂａは、遊技盤１３の前面に沿って左右方向に延在するよう構成されて、前後方向には折曲しないよう構成されており、該通路３２ａを通るパチンコ球は、遊技盤１３の前面と平行な面内を左側から右側に移動して球出口３２ｃからステージ３１に通出されるようになっている。また、球導入部３２は、図８に示す如く、遊技盤１３の前面(盤面)から前方に突出すると共に、該球導入部３２の前端部から前記前枠１４に設けた透明板１４ａまでの離間寸法は、パチンコ球の直径よりも小さくなるよう構成されており、該球導入部３２の前側を通ってパチンコ球が窓口２９ａ内に入り込まないように構成してある。
【００２８】
(ステージ３１について)
前記ステージ３１は、図５〜図１１の示す如く、パチンコ球が左右方向に移動可能な第１球転動部(ステージ部)３３ａを設けた第１ステージ部材３３と、該第１ステージ部材３３の後側に並設されてパチンコ球が左右方向に移動可能な第２球転動部(ステージ部)３４ａを設けた第２ステージ部材３４とを備え、前側に位置する第１ステージ部材３３の左端部に前記球導入部３２の球出口３２ｃが接続しており、該球出口３２ｃから通出するパチンコ球が第１ステージ部材３３の第１球転動部３３ａ上を移動するよう構成される。またステージ３１は、第２ステージ部材３４の下側に配設されて、パチンコ球が転動可能な第３球転動部(別のステージ部)３５ａを設けた第３ステージ部材３５と、第２ステージ部材３４の後側に配設された通路画成部材３６とを備える。すなわち、実施例のステージ３１は、パチンコ球が左右方向に移動可能な球転動部３３ａ,３４ａ,３５ａが、前後および上下で重なるように設けられている。また、各ステージ部材３３,３４,３５および通路画成部材３６は、透明な合成樹脂材で形成され、各球転動部３３ａ,３４ａ,３５ａ上を転動するパチンコ球や後述する球通路４０,４１内を流下するパチンコ球の動きを前側から視認し得るよう構成される。
【００２９】
(第１ステージ部材３３について)
前記第１ステージ部材３３は、図１０,図１１に示す如く、略一様な厚みで左右方向に延在し、パチンコ球が転動可能な第１球転動部３３ａと、該第１球転動部３３ａの後端から下方に延在する取付壁３３ｂとを備え、該第１ステージ部材３３は、取付壁３３ｂを介して前記枠状装飾体２９の台板２９ｂの前面にネジ止め固定されることで、該第１ステージ部材３３(第１球転動部３３ａ)は遊技盤１３の前面(盤面)より前方に突出するよう構成される(図８参照)。また第１ステージ部材３３は、第１球転動部３３ａの前端から上方に突出する規制壁３３ｃが、該第１球転動部３３ａの左右方向の全長に亘って延在するように設けられ、該規制壁３３ｃによって第１球転動部３３ａを移動するパチンコ球が第１ステージ部材３３から前側(遊技領域１３ａ)に落下するのを防止するようになっている。この規制壁３３ａの前端から前記前枠１４の透明板１４ａまでの離間寸法は、パチンコ球の直径よりも小さくなるよう構成されており、前記球導入部３２の球入口３２ａより下方でステージ３１より左方の遊技領域１３ａ(第１経路３０ａ)を流下するパチンコ球が前記遊技釘２５等との接触により弾かれた際に、該パチンコ球が第１球転動部３３ａ(枠状装飾体２９の窓口内部)に入り込むのを該規制壁３３ｃで規制するよう構成される。すなわち、第１ステージ部材３３が、遊技領域１３ａからのパチンコ球の飛び込みを規制する乗上防止部として機能している。
【００３０】
更に、前記第１ステージ部材３３は、図５および図６に示す如く、第１球転動部３３ａの後端から上方に突出する仕切壁３３ｄが左右方向に延在するように設けられ、該仕切壁３３ｄによって第１球転動部３３ａを移動するパチンコ球が後方へ移動するのを規制するようになっている。また、仕切壁３３ｄには、第１球転動部３３ａを移動するパチンコ球の後方への移動を許容する球通過部３３ｅが左右方向に所定長さで形成されており、該球通過部３３ｅを介してパチンコ球が第２ステージ部材３４の第２球転動部３４ａへ移動可能に構成されている。なお、球通過部３３ｅは、実施例では後述する始動入賞装置５２の略真上に位置するよう設定される。
【００３１】
前記第１ステージ部材３３の第１球転動部３３ａは、図５に示す如く、前記球導入部３２における球出口３２ｃに接続する左側部分が、右側に向かうにつれて略直線的に傾斜するよう形成されると共に、該左側部分の右端部に連なる中間部分が、下方に突出した凹状に形成され、更に中間部分の右端部に連なる右側部分が大きな曲率で凹状に湾曲するように形成されている。すなわち、球出口３２ｃから第１球転動部３３ａに通出されたパチンコ球は、左側部分で勢いが弱められることなく傾斜に沿って中間部分まで移動し、該中間部分を通過したパチンコ球が右側部分において上方に大きく移動することで勢いが弱められた後に、該右側部分から中間部分に戻るようになっている。実施例では、第１球転動部３３ａの上面であってパチンコ球が転動可能な球転動面について、左側部分(球出口３２ｃに接続する側)を傾斜転動面３３ｆ、中間部分を中間転動面３３ｇ、右側部分(球出口３２ｃから離間する側)を減勢転動面３３ｈと指称する場合もある。なお、第１ステージ部材３３には、第１球転動部３３ａの右側の開放端を塞ぐ閉塞部材(図示せず)が配設されており、減勢転動面３３ｈを勢いよく右方に移動するパチンコ球が第１球転動部３３ａから飛び出すのを閉塞部材で防ぐようにしてある。実施例では、前記球出口３２ｃに接続する第１球転動部３３ａの左右方向の延在長さは、前記第２球転動部３４ａおよび第３球転動部３５ａの左右方向の延在長さより長く設定されている。
【００３２】
前記仕切壁３３ｄの球通過部３３ｅは、第１球転動部３３ａの中間転動面３３ｇにおける左右方向の中央部で最も低い位置に対応して設けられている。また、中間転動面３３ｇにおける球通過部３３ｅに対応する位置に、後方に向けて下方傾斜する球案内面３３ｉが設けられており、中間転動面３３ｇを左右方向に移動して勢いがなくなったパチンコ球は、該球案内面３３ｉに沿って後方に移動して球通過部３３ｅを介して第２ステージ部材３４(第２球転動部３４ａ)に通入するよう構成される。球案内面３３ｉにおける左右方向の中央部には、上方に向けて僅かに突出する凸部３３ｊが左右方向に離間して設けられており(図７参照)、該凸部３３ｊにパチンコ球が当ることで移動方向が変わり得るようになっている。なお、凸部３３ｊは、中間転動面３３ｇの前後幅の中間から後端までの間で前後方向に延在すると共に、球案内面３３ｉからの突出寸法が前側から後側に向かうにつれて大きくなるよう設定されている。
【００３３】
(第２ステージ部材３４について)
前記第２ステージ部材３４は、図１０,図１１に示す如く、略一様な厚みで左右方向に延在し、パチンコ球が転動可能な第２球転動部３４ａと、該第２球転動部３４ａの後端から下方に延在する取付壁３４ｂとを備え、該第２ステージ部材３４は、取付壁３４ｂを介して第１ステージ部材３３における取付壁３３ｂの後面に第２球転動部３４ａの前端を当接した状態で前記台板２９ｂの後面にネジ止め固定される。また第２ステージ部材３４は、第２球転動部３４ａの後端(端縁)から上方に突出する案内壁３４ｃが、該第２球転動部３４ａの左右方向の所定長さに亘って延在するように設けられ、該案内壁３４ｃによって第２球転動部３４ａを移動するパチンコ球の後方移動を規制するようになっている。なお、第１球転動部３３ａに対して第２球転動部３４ａは、当該第２球転動部３４ａの上面であってパチンコ球が移動する球転動面が、図８に示す如く、第１球転動部３３ａの球転動面より下がった位置に臨むように設定されて、前記球通過部３３ｅから第２球転動部３４ａに移動したパチンコ球が前側に移動するのを第１ステージ部材３３の仕切壁３３ｄによって規制するよう構成される。すなわち、第１ステージ部材３３の後端縁に設けた仕切壁３３ｄは、第１球転動部３３ａと第２球転動部３４ａとを前後に仕切る壁として機能するようになっている。
【００３４】
(接触部３８について)
前記第２球転動部３４ａの球転動面には、図５,図７に示す如く、前記仕切壁３３ｄの球通過部３３ｅにおける左右方向の中央から左方(第１球転動部３３ａにおける球出口３２ｂが連通する側)に偏倚した位置に、上方に膨出する接触部３８が設けられている。この接触部３８は、前記案内壁３４ｃに連接した半球状に膨出するように形成された部分であって、平面視において半円の最前端が、球通過部３３ｅにおける左端より僅かに右側に位置するよう設定される。すなわち、接触部３８は、前記球通過部３３ｅに対して左右方向の半分以上が前後の関係で重なるように位置し、該球通過部３３ｅの左部側から第２球転動部３４ａに移動するパチンコ球は該接触部３８に接触して移動方向が変更されるようになっている。
【００３５】
前記接触部３８と球通過部３３ｅとの位置関係を更に詳細に述べれば、接触部３８の右端は、図７に示す如く、球通過部３３ｅの左右方向の中央より右側で、前記第１球転動部３３ａの球案内面３３ｉに設けられた右側の凸部３３ｊの形成位置の近傍に位置している。すなわち、接触部３８は、その一部が球通過部３３ｅに前後の関係で重なるように設けられている。そして、このような位置関係によって、(1)球案内面３３ｉの凸部３３ｊ,３３ｊの間、および左側の凸部３３ｊと球通過部３３ｅの左端との間から第２球転動部３４ａに移動するパチンコ球は、接触部３８に接触する可能性が高くなるよう設定される。これに対し、(2)右側の凸部３３ｊと球通過部３３ｅの右端との間から第２球転動部３４ａに移動するパチンコ球は、接触部３８に接触する可能性が低くなるよう設定される。但し、前記(1)および(2)の状況となるのは、第１球転動部３３ａを左右方向に移動して勢いが極めて弱くなったパチンコ球が球案内面３３ｉ(球通過部３３ｅ)を前側から後側に略真っ直ぐに移動した場合であって、第１球転動部３３ａを左右方向に移動している勢いのある状態のパチンコ球が球案内面３３ｉ(球通過部３３ｅ)を介して第２球転動部３４ａに移動する際には、該球案内面３３ｉ(球通過部３３ｅ)を斜めに横切って第２球転動部３４ａに移動するので、該パチンコ球の接触部３８に対する接触確率は前記(1)および(2)とは異なることになる。すなわち、球通過部３３ｅに対して左斜め前側から右斜め後側に向けて斜めに横切って通過したパチンコ球は、前記接触部３８には殆ど接触することなく、そのまま接触部３８より右側の第２球転動面３４ａ上を右側に向けて移動する。これに対し、球通過部３３ｅに対して右斜め前側から左斜め後側に向けて斜めに横切って通過したパチンコ球は、前記接触部３８に略接触するようになり、該接触部３８との接触によってパチンコ球の移動方向が変更される可能性が高くなる。このように、球通過部３３ｅを通過する際のパチンコ球の勢いや通過位置によって、パチンコ球の移動方向が接触部３８の接触によって変更されたり変更されない状況が発生し、ステージ３１上でのパチンコ球の動きに変化を与え得るようになっている。
【００３６】
前記接触部３８は、図７および図８に示す如く、前記第２球転動部３４ａにおける球転動面の前後幅の全長に亘って設けられておらず、接触部３８と第１球転動部３３ａとの間の球転動面には上方に突出しない部分が存在するよう構成される。また、前記第１ステージ部材３３の後面に、前記第２球転動部３４ａの上方で、かつ接触部３８における平面視において半円の最前端と対応する位置に、後方に突出する変更突起３９が設けられており、第２球転動部３４ａにおける接触部３８と第１球転動部３３ａとの間を左右方向に移動するパチンコ球が該変更突起３９に接触して後方に移動されることで、該パチンコ球を接触部３８に接触させ得るよう構成される。
【００３７】
前記第２ステージ部材３４の第２球転動部３４ａには、図９,図１０に示す如く、球転動面を凹設して上方および後方に開放する凹部３４ｄが左端部に設けられると共に、該凹部３４ｄの後端開口が前記通路画成部材３６によって画成される後述する第１球通路４０に連通するよう構成されており、該凹部３４ｄの後端開口を介して第２球転動部３４ａ上のパチンコ球が第１球通路４０に通入可能になっている。すなわち、実施例では、第１球通路４０にパチンコ球を通入する凹部３４ｄの後端開口が、第２球転動部３４ａに設けられた第１球通過口３４ｅとなり、該第１球通過口３４ｅは、前記球通過部３３ｅに対して接触部３８が偏倚する側に設けられる。また、第２ステージ部材３４の第２球転動部３４ａには、図９に示す如く、下方に開放する第２球通過口３４ｆが右端部に形成されており、該第２球通過口３４ｆを介して後述する第２球通路４１に第２球転動部３４ａ上のパチンコ球が通入可能に構成されている。
【００３８】
前記第２球転動部３４ａの球転動面は、図９に示す如く、前記接触部３８を挟む左右両側が、対応する球通過口３４ｅ,３４ｆの形成側に向けて夫々下方傾斜するよう構成される。具体的には、接触部３８より左側で前記凹部３４ｄの形成位置までの球転動面は、右側から左側に向かうにつれて下方に緩やかに下降するように湾曲している。また、接触部３８より右側で前記第２球通過口３４ｆの形成位置までの球転動面は、左側から右側に向かうにつれて下方に緩やかに下降するように湾曲している。実施例では、接触部３８より左側の球転動面の勾配より、右側の球転動面の勾配の方が大きく設定されて、第２球転動部３４ａ上のパチンコ球は、第２球通過口３４ｆ側に向けて速やかに移動し易くなっている。
【００３９】
前記第２ステージ部材３４の案内壁３４ｃには、図７に示す如く、前記第２球通過口３４ｆより左側、すなわち第２球転動部３４ａにおける接触部３８より右側の球転動面の傾斜下端部側に、該球転動面を移動するパチンコ球が接触可能なリブ３４ｇが、左右方向に離間して複数突設されている。このリブ３４ｇは、前記接触部３８より右側の球転動面を移動するパチンコ球の勢いを弱めて、第２球通過口３４ｆにパチンコ球がスムーズに通入するように機能する。
【００４０】
(第３ステージ部材３５について)
前記第３ステージ部材３５は、図１０および図１１に示す如く、略一様な厚みで左右方向に延在し、前記第２ステージ部材３４の下方に離間して重なって位置すると共にパチンコ球が転動可能な第３球転動部３５ａと、第３球転動部３５ａの前端から下方に延在する取付壁３５ｂとを備え、該第３ステージ部材３５は、取付壁３５ｂを介して第２ステージ部材３４における取付壁３４ｂの前面に第３球転動部３５ａの後端を当接した状態で該取付壁３４ｂの前面にネジ止め固定される。そして、第３球転動部３５ａの上面である球転動面を左右方向に移動するパチンコ球の後方への移動を第２ステージ部材３４の取付壁３４ｂによって規制するようにしてある。前記第３ステージ部材３５の右端部には、図９に示す如く、第３球転動部３５ａに連続して上方に向けて湾曲する側壁部３５ｃが設けられており、該側壁部３５ｃが第２ステージ部材３４における第２球通過口３４ｆを画成する右壁に接続するよう構成される。また、第２ステージ部材３４には、第２球通過口３４ｆの左端縁を画成する壁部が所定長さで下方に延在し、該壁部と側壁部３５ｃ、前記第１ステージ部材３３の取付壁３３ｂおよび第２ステージ部材３４の取付壁３４ｂによって、第２球通過口３４ｆに連通して下方に開放する第２球通路４１が画成される。そして、第２球通過口３４ｆに通入したパチンコ球は、第２球通路４１を介して第３球転動部３５ａに移動可能に構成されている。
【００４１】
前記第３球転動部３５ａの球転動面は、全体として下方に突出した凹形状に形成されると共に、左右方向の中央部分に、上方に僅かに膨出する膨出部３５ｄが形成されている。また膨出部３５ｄには、左右方向の中央を挟んで左右方向に離間する位置に、前後方向に延在する一対の凸部３５ｅ,３５ｅが突設されると共に、両凸部３５ｅ,３５ｅの間には第３球転動部３５ａの前端に向けて下方傾斜する第１球排出部(排出部)３５ｆが形成されている。なお、凸部３５ｅは、第３球転動部３５ａに到来したパチンコ球が左右方向に乗り越え可能な突出寸法に設定されており、該凸部３５ａを越えて第１球排出部３５ｆにパチンコ球が入り得るようになっている。
【００４２】
前記枠状装飾体２９の台板２９ｂの裏面に第３ステージ部材３５を配設した状態で、該第３ステージ部材３５の前面には左右方向に所定長さの開口部が前方に向けて開口するよう構成されている。また、台板２９ｂの下端部前面に、前面装飾部材４２が配設されており、該前面装飾部材４２の上端部が、第３ステージ部材３５の第３球転動部３５ａより上方に延出して、第３球転動部３５ａからのパチンコ球の前方移動を規制し得るよう構成される。但し、前面装飾部材４２には、第３球転動部３５ａの前記膨出部３５ｄにおける左右方向の中央部に設けられた前記第１球排出部３５ｆに対応する位置に、第３球転動部３５ａより低い第１切欠部４２ａが形成されると共に、該膨出部３５ｄを挟む左右両側の位置に、同じく第３球転動部３５ａより低い第２切欠部４２ｂが設けられている。すなわち、第３ステージ部材３５の第３球転動部３５ａに到来したパチンコ球は、前面装飾部材４２の第１切欠部４２ａおよび第２切欠部４２ｂ,４２ｂを介して前記遊技領域１３ａに排出可能に構成されている。実施例では、第１切欠部４２ａおよび第２切欠部４２ｂ,４２ｂが、第３球転動部３５ａのパチンコ球を遊技領域１３ａに排出する排出部として機能している。なお、第３球転動部３５ａにおいて第１球排出部３５ｆの左右両側で第２切欠部４２ｂに対応する部位が、第２球排出部(排出部)３５ｇとして機能するよう構成される。
【００４３】
前記前面装飾部材４２の第１切欠部４２ａおよび第３球転動部３５ａの第１球排出部３５ｆは、後述する始動入賞装置５２における第１始動入賞口５３ａの鉛直上方位置に位置しており、第１球排出部３５ｆで案内されて第１切欠部４２ａから遊技領域１３ａに排出されたパチンコ球は、始動入賞装置５２の第１始動入賞口５３ａに入賞し易くなっている。これに対し、前面装飾部材４２の第２切欠部４２ｂおよび第３球転動部３５ａの第２球排出部３５ｇは、始動入賞装置５２における第１始動入賞口５３ａの鉛直上方位置から左方または右方に偏倚しており、第２球排出部３５ｇで案内されて第２切欠部４２ｂから遊技領域１３ａに排出されたパチンコ球は、遊技領域１３ａにおいて第１始動入賞口５３ａとは異なる位置に向けて流下するよう構成される。すなわち、第３球転動部３５ａは、始動入賞装置５２における第１始動入賞口５３ａに入賞し易い第１球排出部３５ｆと、該第１球排出部３５ｆに比べて始動入賞装置５２における第１始動入賞口５３ａに入賞し難い第２球排出部３５ｇとが設けられている。なお、実施例では、前記台板２９ｂの前面に配設した前面装飾部材４２によって第３球転動部３５ａのパチンコ球を遊技領域１３ａへ排出可能な部位(切欠部４２ａ,４２ｂ)と排出を規制する部位(球転動面から上方に延出する部分)とを設けたが、第３球転動部３５ａの前端縁に球転動面から立上がる壁を設けると共に、該壁にパチンコ球を遊技領域１３ａに排出可能な切欠部を形成することで、当該第３球転動部３５ａに到来したパチンコ球を遊技領域１３ａへ排出可能な部位(第１球排出部３５ｆ,第２球排出部３５ｇ)と排出を規制する部位とを設ける構成を採用し得る。
【００４４】
(通路画成部材３６について)
前記第２ステージ部材３４の後側に配設される前記通路画成部材３６は、図１０に示す如く、前方に開口する樋状の通路画成部３６ａと、該通路画成部３６ａの前端から外方に延在する取付壁３６ｂとを備え、該通路画成部材３６は、取付壁３６ｂを介して第２ステージ部材３４における取付壁３４ｂの後面に通路画成部３６ａの前端を当接した状態で該取付壁３４ｂの後面にネジ止め固定される。そして、通路画成部３６ａに内部画成された第１球通路(球排出経路)４０の一端部は、前記第２ステージ部材３５の第１球通過口３４ｅに連通しており、第２ステージ部材３４の第２球転動部３４ａのパチンコ球は、第１球通過口３４ｅを介して第１球通路４０に通入可能に構成されている。また、前記枠状装飾体２９の台板２９ｂにおける第３ステージ部材３５の下側に臨む位置に、前後方向に貫通する通口２９ｅが形成されると共に、該通口２９ｅと対応する台板２９ｂの裏面には後方に向けて所定長さで延在する樋部２９ｆが設けられ、該樋部２９ｆの後端部に前記第１球通路４０の他端が連通するよう構成される(図８参照)。更に、前記前面装飾部材４２には、台板２９ｂの通口２９ｅと対応する位置に、前後方向に貫通する通口４２ｃが形成されている。すなわち、前記第２球転動部３４ａから第１球通路４０に通入したパチンコ球は、樋部２９ｆ、通口２９ｅ、通口４２ｃを介して遊技領域１３ａに排出されるようになっている。
【００４５】
前記通路画成部３６ａにおいて第１球通路４０を画成する後壁(区画壁)３６ｃに、図６,図１１に示す如く、前後方向に貫通する長孔３６ｄが第１球通路４０に沿って形成されている。この長孔３６ｄは、パチンコ球が通過不能な幅寸法に設定されると共に、第１球通路４０の底面に沿って移動するパチンコ球の一部が該長孔３６ｄに入り込み得る位置に設けられている。すなわち、第１球通路４０を移動するパチンコ球の一部が長孔３６ｄに入り込むことで、該パチンコ球を長孔３６ｄによって案内し得るようになっている。また、前記前面装飾部材４２の通口４２ｃは、後述する始動入賞装置５２における第１始動入賞口５３ａの鉛直上方(直上)位置に位置しており、前記第２球転動部３４ａから第１球通路４０に通入したパチンコ球は、始動入賞装置５２の第１始動入賞口５３ａに入賞し易くなっている。実施例では、前記枠状装飾体２９の台板２９ｂに形成された樋部２９ｆと通口２９ｅおよび前面装飾部材４２の通口４２ｃが、ステージ３１に受け入れられたパチンコ球を遊技領域１３ａに排出する第１球通路４０の一部を構成している。
【００４６】
ここで、前記第２球転動部３４ａから第１球通路４０に通入したパチンコ球が遊技領域１３ａに排出される通口４２ｃは、前記第３球転動部３５ａのパチンコ球を遊技領域１３ａに排出する前記第１切欠部４２ａよりも下方、すなわち始動入賞装置５２の第１始動入賞口５３ａの近くに位置している。この構成により、通口４２ｃから排出されたパチンコ球が遊技領域１３ａを始動入賞装置５２まで流下する間に前面装飾部材４２等の部品との接触によって流下方向が変化するような影響を受ける度合は、第１切欠部４２ａから排出されたパチンコ球が遊技領域１３ａを始動入賞装置５２まで流下する間に前面装飾部材４２等の部品との接触によって流下方向が変化するような影響を受ける度合よりも小さく、通口４２ｃから排出されたパチンコ球の方が、第１切欠部４２ａから排出されたパチンコ球よりも第１始動入賞口５３ａに入賞し易いといえる。また、第３球転動部３５ａのパチンコ球は、第１切欠部４２ａの左右両側に位置する第２切欠部４２ｂ,４２ｂから遊技領域１３ａにおいて第１始動入賞口５３ａとは異なる位置に向けて排出可能に構成されている。すなわち、実施例では、第３球転動部３５ａのパチンコ球は、始動入賞装置５２の第１始動入賞口５３ａに入賞し易い第１切欠部４２ａから遊技領域１３ａに排出可能であるとしても、該第１始動入賞口５３ａに入賞し難い第２切欠部４２ｂ,４２ｂからも遊技領域１３ａに排出可能である構成であるので、これら３つの切欠部４２ａ,４２ｂ,４２ｂからなる排出部から遊技領域１３ａに排出されるパチンコ球が第１始動入賞口５３ａに入賞するトータルの確率は、第２球転動部３４ａから第１球通路４０に通入して通口４２ｃから遊技領域１３ａに排出されるパチンコ球が第１始動入賞口５３ａに入賞する確率より低くなっている。言い替えれば、第１球通路４０から遊技領域１３ａに排出されるパチンコ球が第１始動入賞口５３ａに入賞する確率が、第３球転動部３５ａの排出部４２ａ,４２ｂ,４２ｂから遊技領域１３ａに排出されるパチンコ球が第１始動入賞口５３ａに入賞する確率より高く設定されている。
【００４７】
(第１緩衝部材４３について)
前記遊技盤１３の遊技領域１３ａにおいて、前記パチンコ球の打ち出し側である左上部と反対側の右上部、すなわち前記外レール２１ａと前記第３盤面保護部材２０ｃとの境界部分には、図２に示すように、該遊技領域１３ａに打ち込まれたパチンコ球が衝突可能な第１緩衝部材４３が、ネジ等により固定されている。この第１緩衝部材４３は、例えばゴムやウレタン等の弾力性を有する素材から形成されており、前記打球発射装置により強く打ち出されて遊技領域１３ａの右上部まで到達したパチンコ球が衝突することで、該パチンコ球の勢いを好適に低減するようになっていると共に、該パチンコ球の衝突による異音の発生等も抑えるようになっている。
【００４８】
(第２緩衝部材４４について)
実施例のパチンコ機１０では、図２に示すように、前記第１緩衝部材４３の下方において、前記枠状装飾体２９における右側方の庇部２９ｄと対向する第３盤面保護部材２０ｃの内面側に離間して前記第２経路(流下経路)３０ｂに臨むように配設された第２緩衝部材(緩衝部材)４４を備えている。実施例では、第２緩衝部材４４は、枠状装飾体２９の前記台板２９ｂに着脱自在に配設されて該枠状装飾体２９と一体で取り扱い得るようになっているが、該第３盤面保護部材２０ｃや遊技盤１３に対して着脱自在に配設したり、あるいは枠状装飾体２９または第３盤面保護部材２０ｃに一体形成する構成を採用し得る。
【００４９】
前記第２緩衝部材４４は、図１２,図１３に示す如く、平板状の基板部４４ａを備え、該基板部４４ａが枠状装飾体２９における台板２９ｂの前面にネジ止め固定されるようになっている。なお、台板２９ｂには、基板部４４ａと対応する形状の凹部２９ｇが、該基板部４４ａの厚み寸法と略同じ深さで凹設されており、該凹部２９ｇに基板部４４ａを嵌め込むことで、台板２９ｂの前面と基板部４４ａの前面とが略同一面に位置するよう構成される。また第２緩衝部材４４には、枠状装飾体２９の庇部２９ｄから離間する側端部に、第２経路(流下経路)３０ｂに臨む複数の緩衝部４５,４６が設けられている。なお、実施例では２つの緩衝部４５,４６が第２経路３０ｂにおけるパチンコ球の流下方向に間隔をおいて位置しており、上下の緩衝部４５,４６を区別する場合は、上方の緩衝部を第１緩衝部４５と指称し、下方の緩衝部を第２緩衝部４６と指称する場合がある。
【００５０】
(緩衝部４５,４６について)
前記第１緩衝部４５は、図１４に示す如く、右端から左側(第３盤面保護部材２０ｃから庇部２９ｄ)に向かうにつれて下方傾斜する傾斜上面(上面)４５ａと、左側から右側に向かうにつれて下方傾斜する傾斜下面４５ｂと、傾斜上面４５ａおよび傾斜下面４５ｂの左端部を接続する連結端面４５ｃとから、正面視において連結端面側が短い横向き台形状に形成されている。また、前記第２緩衝部４６は、第１緩衝部４５と基本的な構成は同じであって、右端から左側(第３盤面保護部材２０ｃから庇部２９ｄ)に向かうにつれて下方傾斜する傾斜上面(上面)４６ａと、左側から右側に向かうにつれて下方傾斜する傾斜下面４６ｂと、傾斜上面４６ａおよび傾斜下面４６ｂの左端部を接続する連結端面４６ｃとから、正面視において連結端面側が短い横向き台形状に形成されている。各緩衝部４５,４６は、枠状装飾体２９の前面と略同一位置に前面が位置する寸法だけ基板部４４ａから前方に突出しており、第２経路３０ｂを流下するパチンコ球が各緩衝部４５,４６の傾斜上面４５ａ,４６ａに衝突可能に構成されている。また第２緩衝部材４４において、第１緩衝部４５の傾斜下面４５ｂと第２緩衝部４６の傾斜上面４６ａとは、右端部において連結部４４ｂによって連結してある。
【００５１】
(枠状装飾体２９の案内部４７,４８,４９について)
前記枠状装飾体２９の庇部２９ｄには、前記第２緩衝部材４４の配設位置に対応する領域に、第２経路(流下経路)３０ｂに向けて突設された案内部４７,４８,４９が、上下方向に離間して複数設けられている。これら案内部４７,４８,４９は、台板２９ｂの前面から庇部２９ｄの前端までの間に亘って前後方向に延在しており、第２経路３０ｂを流下するパチンコ球が接触可能で、接触したパチンコ球の流下方向を変更可能に構成されている。実施例では、図１２〜図１４に示す如く、３つの案内部４７,４８,４９が第２経路３０ｂにおけるパチンコ球の流下方向に間隔をおいて位置しており、３つの案内部４７,４８,４９を区別する場合は、最上方の案内部を第１案内部４７と指称し、中間の案内部(第２の案内部)を第２案内部４８と指称し、最下方の案内部を第３案内部４９と指称する場合がある。また、庇部２９ｄにおける３つの案内部４７,４８,４９が設けられる周辺の外周面について、各案内部４７,４８,４９との関係で区別する場合は、第１案内部４７より上側の外周面を第１外周面５０ａと指称し、第１案内部４７と第２案内部４８との間に臨む外周面を第２外周面５０ｂと指称し、第２案内部４８と第３案内部４９との間に臨む外周面を第３外周面５０ｃと指称し、第２案内部４８より下側の外周面を第４外周面５０ｄと指称する場合がある。
【００５２】
図１４に示す如く、第１案内部４７は、前記第１緩衝部４５より上方に位置し、第２案内部４８は、第１緩衝部４５と第２緩衝部４６との間に位置し、第３案内部４９は、第２緩衝部４６より下方に位置しており、当該案内部４７,４８,４９および緩衝部４５,４６が設けられている領域において第２経路３０ｂは、左右方向に屈曲するようになっている。前記第１案内部４７の上面は、庇部２９ｄから離間するにつれて(第３盤面保護部材２０ｃに向かうにつれて)下方傾斜するよう形成されると共に該上面の延長線が第１緩衝部４５の傾斜上面４５ａと交差するよう設定されており、該上傾斜面４７ａに当接したパチンコ球を第１緩衝部４５の傾斜上面４５ａに向けて案内し得るよう構成される。また、第２案内部４８の上面は、庇部２９ｄから離間するにつれて(第３盤面保護部材２０ｃに向かうにつれて)下方傾斜するよう形成されると共に該上面の延長線が第２緩衝部４６の傾斜上面４６ａと交差するよう設定されており、該上傾斜面４８ａに当接したパチンコ球を第２緩衝部４６の傾斜上面４６ａに向けて案内し得るよう構成される。更に、第３案内部４９の上面は、庇部２９ｄから離間するにつれて(第３盤面保護部材２０ｃに向かうにつれて)下方傾斜するよう形成されており、該上傾斜面４９ａに当接したパチンコ球を第２緩衝部４６より下方に向けて案内し得るよう構成される。
【００５３】
ここで、前記第１緩衝部４５の傾斜上面４５ａは、該傾斜上面４５ａで受けたパチンコ球を、前記庇部２９ｄにおける第２外周面５１ｂに向けて流下可能な傾斜角度(傾斜上面４５ａの延長線が第２外周面５１ｂと交差する傾斜角度)に設定されると共に、前記第２緩衝部４６の傾斜上面４６ａは、該傾斜上面４６ａで受けたパチンコ球を、庇部２９ｄにおける第３外周面５１ｃに向けて流下可能な傾斜角度(傾斜上面４６ａの延長線が第３外周面５１ｃと交差する傾斜角度)に設定される。すなわち、案内部４７,４８,４９および緩衝部４５,４６が臨む第２経路３０ｂを流下するパチンコ球は、流下方向が左右方向にジグザグに変化し、該流下方向が変化する際に緩衝部４５,４６や外周面５１ｂ,５１ｃにパチンコ球が衝突することで勢いが弱められるようになっている。パチンコ球の流下方向の変化をより具体的に説明すれば、図１４に示す如く、第１外周面５１ａに沿って流下して第１案内部４７の上傾斜面４７ａで流下方向が変更されたパチンコ球は、第１緩衝部４５の傾斜上面４５ａに衝突し、該傾斜上面４５ａで案内されて流下方向が変更されたパチンコ球は、第２外周面５１ｂに衝突する。そして、第２外周面５１ｂに沿って流下して第２案内部４８の上傾斜面４８ａで流下方向が変更されたパチンコ球は、第２緩衝部４６の傾斜上面４６ａに衝突し、該傾斜上面４６ａで案内されて流下方向が変更されたパチンコ球は、第３外周面５１ｃに衝突する。そして、第３外周面５１ｃに沿って流下して第３案内部４９の上傾斜面４９ａで流下方向が変更されたパチンコ球は、前記第３盤面保護部材２０ｃにおける第２緩衝部４６の下方に臨む内面に向けて流下するようになっている。
【００５４】
すなわち、実施例のパチンコ機１０では、右打ち状態で打ち出されたパチンコ球の勢いが、前記第１緩衝部材４３に衝突することで一次的に低減され、該第１緩衝部材４３に衝突した後に第２経路３０ｂを流下するパチンコ球の勢いが、前記緩衝部４５,４６および庇部２９ｄに衝突することで低減されるため、勢いが増すことを確実に防止するように構成されている。なお、前記第１案内部４７の突出端と第１緩衝部４５の傾斜上面４５ａとの離間間隔、第１緩衝部４５の連結端面４５ｃと第２外周面５１ｂとの離間間隔、前記第２案内部４８の突出端と第２緩衝部４６の傾斜上面４６ａとの離間間隔、第２緩衝部４６の連結端面４６ｃと第３外周面５１ｃとの離間間隔は、パチンコ球の直径よりは大きく、かつ該パチンコ球の直径の２倍より小さくなるように設けられている。すなわち、庇部２９ｄと緩衝部４５,４６との間でのパチンコ球の流下を許容しつつ、該パチンコ球を各緩衝部４５,４６や外周面５１ｂ,５１ｃに確実に衝突させて、第２経路３０ｂを流下するパチンコ球の勢いが増すのを好適に抑え得るようにしてある。
【００５５】
前記３つの案内部４７,４８,４９における上傾斜面４７ａ,４８ａ,４９ａの傾斜方向の長さは、上から下に順に長くなるよう設定されている。また、前記庇部２９ｄには、前記第３案内部４９から下方に離間する位置に、第２経路(流下経路)３０ｂに向けて突設された第４案内部５０が設けられている(図１２,図１３参照)。この第４案内部５０は、後述する第２サイド装飾体７５における第１流路変更面９８の上方に位置すると共に、該第４案内部５０の上面は、庇部２９ｄから離間するにつれて(第３盤面保護部材２０ｃに向かうにつれて)下方傾斜するよう形成されており、該上傾斜面５０ａに当接したパチンコ球を第１流路変更面９８に向けて案内し得るよう構成される。
【００５６】
(第２緩衝部材４４の傾斜部４４ｅについて)
前記第２緩衝部材４４における基板部４４ａの上端部は、図１４に示す如く、前記枠状装飾体２９の台板２９ｂの凹部２９ｇに基板部４４ａを嵌め合わせた状態で、凹部２９ｇより上側の台板２９ｂの延出端より右側(外側)に延出するよう構成されており、これによって前記第１案内部４７からパチンコ球が案内される第１緩衝部４５の傾斜上面４５ａは、凹部２９ｇより上側の台板２９ｂの延出端を挟んで内外方向に延在するように位置している。また基板部４４ａは、第１緩衝部４５の傾斜上面４５ａより上方に延在する上延在部４４ｃを備え、該上延在部４４ｃにおける台板２９ｂの延出端より外方に臨む前面に、上から下に向かうにつれて遊技盤１３の前面から前方に変位するように傾斜する傾斜部４４ｄが形成されている。この傾斜部４４ｄは、前記第１案内部４７で案内されたパチンコ球が当該傾斜部４４ｄに当った際には第１緩衝部４５側に速やかに案内するべく機能する。すなわち、パチンコ球が連続して第１案内部４７と第１緩衝部４５との間に到来した場合においても、パチンコ球を滞らせることなくスムーズに流下させ得るようになっている。また、前記台板２９ｂより外側に延在する基板部４４ａの上端縁の遊技盤１３の前面からの突出量を小さくすることで、該基板部４４ａの上端縁にパチンコ球が引っ掛かるのを防いで、スムーズな流下を図り得るようになっている。
【００５７】
前記基板部４４ａにおけるパチンコ球が前側を通る前面に、上下方向に離間して複数の段部４４ｅが設けられ、パチンコ球が段部４４ｅに接触することで勢いが弱められ得るよう構成される。実施例では、基板部４４ａの前面に、第２経路３０ｂにおけるパチンコ球の流下方向と交差する方向に延在する複数の溝を上下方向に離間して形成することで、上下の溝の間に段部４４ｅが設けられる。具体的に、各段部４４ｅは、図１４に示す如く、左右方向に延在するよう形成されると共に、該段部４４ｅは、庇部２９ｄから離間するにつれて僅かに下方傾斜するよう設定される。すなわち、各段部４４ｅの傾斜は、各緩衝部４５,４６の傾斜上面４５ａ,４６ａの傾斜方向とは交差しており、該傾斜上面４５ａ,４６ａに沿って対応する庇部２９ｄの外周面５１ｂ,５１ｃに向けて案内されるパチンコ球の流下方向に対して交差する段部４４ｅにパチンコ球が接触した際の減勢効果が大きくなるようにしてある。なお、段部４４ｅの水平面に対する傾斜角度は、前記各案内部４７,４８,４９の上傾斜面４７ａ,４８ａ,４９ａの水平面に対する傾斜角度より小さく設定されている。
【００５８】
前記遊技盤１３における前記第１装着口２３ａ(枠状装飾体２９)の下方に開設された第２装着口２３ｂに、遊技領域１３ａ(第１経路３０ａおよび第２経路３０ｂ)を流下するパチンコ球が入賞可能な始動入賞装置５２が取り付けられている。また、第１装着口２３ａおよび第２装着口２３ｂの左方に開設された第３装着口２３ｃに、第１経路３０ａを流下するパチンコ球が通過可能な第１球通過ゲート６７および第１経路３０ａを流下するパチンコ球が入賞可能な第１普通入賞口７３が設けられた第１サイド装飾体(飾り部材)５８が取り付けられる。更に、第１装着口２３ａおよび第２装着口２３ｂの右方に開設された第４装着口２３ｃに、第２経路３０ｂを流下するパチンコ球が通過可能な第２球通過ゲート８０および第２経路３０ｂを流下するパチンコ球が入賞可能な第２普通入賞口８８および特別入賞装置９０が設けられた第２サイド装飾体(飾り部材)７５が取り付けられている。
【００５９】
(始動入賞装置５２について)
前記遊技盤１３に配設される前記始動入賞装置(入賞装置)５２は、前記第１装着口２３ａの下方に穿設された第２装着口２３ｂに前側から着脱自在に配設される始動口飾り５２ａに、始動入賞口(始動口)５３ａ,５３ｂが上下の位置関係で２つ設けられている。ここで、上側に位置する第１始動入賞口５３ａは、遊技領域１３ａ内で常に上方へ開口する常時開放タイプの入賞口とされている。また、下側に位置する第２始動入賞口５３ｂは、始動口飾り５２ａに前後方向へ揺動可能に配設された開閉部材５４によって開閉するよう構成されており、駆動手段としての始動入賞ソレノイド５５(図２７参照)の駆動に伴って開閉部材５４が第２始動入賞口５３ｂを閉鎖する閉鎖位置と開放する開放位置に変位するよう構成されている。すなわち、実施例において前記第１始動入賞口５３ａは、前記遊技領域１３ａを流下するパチンコ球が常時一定の確率で入賞可能に構成され、第２始動入賞口５３ｂは、始動入賞ソレノイド５５を駆動することでパチンコ球の入賞確率を可変し得るよう構成されている。なお、開閉部材５４を閉鎖位置から開放位置に変位して第２始動入賞口５３ｂを開放する開放条件および開閉部材５４を開放位置から閉鎖位置に変位して第２始動入賞口５３ｂを閉鎖する閉鎖条件としては、開閉部材５４が開放位置に変位している継続時間(第２始動入賞口５３ｂの開放時間)が挙げられるが、その他の条件を設定してもよい。
【００６０】
また、前記始動入賞装置５２は、前記第１および第２始動入賞口５３ａ,５３ｂに入賞したパチンコ球を検出する入賞検出手段としての始動入賞検出スイッチ５６ａ,５６ｂ(図２７参照)が設けられている。前記始動入賞検出スイッチ５６ａ,５６ｂは、パチンコ機１０の裏側に配設されたメイン制御手段５７(図２７参照)に配線接続されており、該始動入賞検出スイッチ５６ａ,５６ｂによるパチンコ球の検出(すなわち第１および第２始動入賞口５３ａ,５３ｂへのパチンコ球の入賞)を契機として所定数の賞球が払い出されるようになっている。また、始動入賞検出スイッチ５６ａ,５６ｂによるパチンコ球の検出(すなわち第１および第２始動入賞口５３ａ,５３ｂへのパチンコ球の入賞)に伴って各種情報が取得され、この取得した情報に基づいて後述する特図当り抽選(大当り判定)が行われるよう構成されている。そして、特図当り抽選の結果に基づいて前記図柄表示装置１８において図柄変動演出が実行されると共に、後述する特図表示部１６０Ａ,１６０Ｂにおいて特図変動が実行されるようになっている。そして、前記図柄表示装置１８での図柄変動演出の結果、該図柄表示装置１８に所定の組み合わせ(例えば同一飾図の３つ揃い等)で飾図が確定停止表示されることで、遊技者に有利な当り遊技(大当り遊技)が付与され、当り遊技の発生に伴って前記特別入賞装置９０を所定の開放条件で開放する当り遊技が行われて、遊技者が賞球を獲得し得る機会が与えられるよう構成されている。ここで、実施例では、前記始動入賞検出スイッチ５６ａ,５６ｂが始動入賞口５３ａ,５３ｂ毎が設けられており、以下の説明では、第１始動入賞口５３ａに対応するスイッチを第１始動入賞検出スイッチ５６ａと指称し、第２始動入賞口５３ｂに対応するスイッチを第２始動入賞検出スイッチ５６ｂと指称するものとする。また、メイン制御手段５７は、第１始動入賞検出スイッチ５６ａまたは第２始動入賞検出スイッチ５６ｂからの検出信号を受信すると、図示しない球払出装置を制御して所定数の賞球を払い出させるよう構成される。なお、球払出装置から払い出される賞球球数は、パチンコ球が入賞した始動口毎に予め設定されている。
【００６１】
(第１サイド装飾体５８について)
前記遊技盤１３の第１経路３０ａにおいて内レール２１ｂに沿って形成される第３装着口２３ｃに配設される前記第１サイド装飾体５８は、図２に示す如く、枠状装飾体２９の上下方向の略中間位置から前記始動入賞装置５２の配設位置までの間に亘って延在する概略弓形状の部材であって、該第１サイド装飾体５８は、内レール(レール部材)２１ｂの内側に沿って枠状装飾体側が凹となる姿勢で遊技盤１３に配設されている。第１サイド装飾体５８は、図１５〜図１７に示す如く、略弓形状に形成された前壁５９ａの裏面に、該前壁５９ａの外縁から内側に離間した位置から後方に突出する側壁５９ｂを前壁５９ａの外縁に沿って形成した後方に開口する第１基体(ベース部材)５９を備え、該第１基体５９における前壁５９ａの前面に、光透過性の第１装飾品６０が配設されている。この第１装飾品６０には、パチンコ機１０のモチーフとなる図柄等が形成されている。なお、第１サイド装飾体５８と内レール２１ｂとの間には殆ど隙間はなく、両部材５８,２１ｂの間にはパチンコ球は流下しないようになっているが、内レール２１ｂとの間にパチンコ球が流下可能な隙間(球経路)をあけて第１サイド装飾体５８を遊技盤１３に取り付けるようにしてもよい。
【００６２】
前記第１基体５９における前壁５９ａの裏面全体に、ダイヤモンドカット等の凹凸による光拡散加工が施されると共に、側壁５９ｂにより画成される空間内に、該空間と略同一形状に形成された光拡散シート６１および透明部材６２が収容されている。また、第１基体５９の裏側に、第１発光装置(遊技構成部品,発光手段)６３が着脱自在に取り付けられており、該第１発光装置６３を第１基体５９に取り付けることで、第１基体５９に対して光拡散シート６１および透明部材６２が第１発光装置６３との間で挟持された状態で位置決めされるようになっている。第１発光装置６３は、第１基体５９の側壁５９ｂで画成される空間と略同じ形状に形成された発光基板６３ａと、該発光基板６３ａの前面に実装されて前方に向けて光を照射するＬＥＤ等の複数の発光体６３ｂ,６３ｃと、発光基板６３ａと略同一形状に形成されて該発光基板６３ａの裏面を覆蓋保護するように発光基板６３ａの裏側に配設された透明保護部材６３ｄとを備える。すなわち、第１発光装置６３の発光体６３ｂ,６３ｃを発光することで、前記光拡散シート６１および第１基体５９に施された光拡散加工によって、第１サイド装飾体５８の全体が発光装飾されるようになっている。また、発光基板６３ａに、第１基体５９に配設される第１球通過ゲート６７を明輝するためのゲート用発光体６３ｄが配設されている。なお、透明保護部材６３ｄには、多数の放熱用の通孔６３ｅが形成してある。
【００６３】
(第１球通過ゲート６７について)
前記第１基体５９の前壁５９ａにおける最上部に、第１球通過ゲート６７の取着部Ｋ１が設けられると共に、該取着部Ｋ１より下方位置の前壁５９ａに、前後方向に貫通する貫通孔５９ｃが複数(実施例では３つ)形成されている。第１基体５９の取着部Ｋ１に、第１経路３０ａ(遊技領域１３ａ)を流下するパチンコ球が通過可能な第１球通過ゲート６７が着脱自在に取り付けられている。前壁５９ａに設けられた取着部Ｋ１は、図１８,図２０,図２１に示す如く、前後方向に貫通形成された取付口(貫通孔,挿通口)６５と、該取付口６５の下端縁から後方に延在する下受部６４ａと、取付口６５の上端縁に並んで設けられて後方に延在する上受部６４ｂおよび係合フック(係止部)６６とを備える。前記取付口６５は、第１球通過ゲート６７を構成する後述の第１球通過検出スイッチ６９Ａの前後方向の挿脱を許容する略矩形状に形成された挿通部６５ａと、該挿通部６５ａの左右両側において外方に向けて凹設された案内凹部６５ｂ,６５ｂとから構成される。なお、係合フック６６の下面後端には、下方に突出する係合爪６６ａが設けられており、取付口６５に装着された第１球通過ゲート６７の後述するスイッチ保持体６８に保持された第１球通過検出スイッチ６９Ａの後端に係合爪６６ａが係合することで、該第１球通過検出スイッチ６９Ａの後方移動を規制するよう構成される。
【００６４】
前記取着部Ｋ１では、挿通部６５ａの左右両側に案内凹部６５ｂ,６５ｂを凹設することで、取付口６５の４隅には被係合部(被嵌合部)６４ｃが夫々形成されて、該被係合部６４ｃによって第１球通過ゲート６７の後述するスイッチ保持体６８が取付口６５に対して位置決めされるようになっている。また取着部Ｋ１は、取付口６５の下端縁から前方に延在する一対の逆付け防止片６４ｄ,６４ｄを左右方向に離間して備え(図１８参照)、該逆付け防止片６４ｄ,６４ｄが、後述するように当該取着部Ｋ１に対するスイッチ保持体６８の上下逆向き姿勢での取り付けを防止する機能を有している。
【００６５】
前記第１球通過ゲート６７は、前記第１基体５９の前壁５９ａに設けた取着部Ｋ１に対して前側から着脱自在に配設されるスイッチ保持体(飾り部材)６８と、該スイッチ保持体６８に対して前壁５９ａの裏側から着脱自在に配設される第１球通過検出スイッチ(検出手段)６９Ａとを備える。前記スイッチ保持体６８は、図１８,図１９に示す如く、左右方向に延在する前壁部６８ａと、該前壁部６８ａの左左両端部から後方に延在する側壁部６８ｂ,６８ｂとから平面視において後方に開口する門型に形成された部材であって、両側壁部６８ｂ,６８ｂは相互に近接離間方向に弾性変形可能に構成されている。そして、両側壁部６８ｂ,６８ｂの間で第１球通過検出スイッチ６９Ａを挟持状態で保持可能に構成されている(図２０参照)。なお、両側壁部６８ｂ,６８ｂの内面間の離間寸法は、当該側壁部６８ｂ,６８ｂに力を加えていない無負荷状態において第１球通過検出スイッチ６９Ａの横幅寸法より僅かに大きく設定してある。また、スイッチ保持体６８は、全体が光透過性(実施例では透明)な樹脂材料で形成されて、前記第１発光装置６３の発光基板６３ａに設けたゲート用発光体(発光体)６３ｃ,６３ｃによって全体が明輝可能に構成される。なお、前壁部６８ａの前面には、パチンコ機１０のモチーフに合わせた装飾が施されている。
【００６６】
前記スイッチ保持体６８の各側壁部６８ｂは、図１８に示す如く、前壁部６８ａと同一高さで後方に延在する前半部７０と、該前半部７０の後端から後方に延在する後半部７１とからなり、前半部７０および前記前壁部６８ａの上端縁には、両側壁部６８ｂ,６８ｂの間に挿入された第１球通過検出スイッチ６９Ａの上方移動を規制する上規制壁(保護壁)７２が内側に向けて張出すように突設されている(図１９参照)。また、前半部７０および前壁部６８ａの内面(始動口６７ａを画成する壁の内面)には、上下方向に延在する凸部を並ぶように形成した光拡散加工が施されている。また、スイッチ保持体６８の上下方向の高さ(厚み)寸法は、第１球通過検出スイッチ６９Ａの上下方向の厚み寸法より大きく設定されており、該スイッチ保持体６８に第１球通過検出スイッチ６９Ａを保持した状態では該検出スイッチ６９Ａがスイッチ保持体６８から上下方向に突出しないよう構成される。
【００６７】
前記側壁部６８ｂの前半部７０は、前側から後側に向かうにつれて左右方向の厚みが大きくなるよう形成されている。また、側壁部６８ｂの後半部７１は、前半部７０における後端部の厚みより小さい厚みで前記取付口６５における挿通部６５ａの高さ寸法と略同一高さで前後方向に延在する内壁部７１ａと、該内壁部７１ａの外側面における高さ方向の中央に突設されて前後方向に延在するガイド部(導光部)７１ｂとを備え、ガイド部７１ｂの高さ寸法が、前記取付口６５における案内凹部６５ｂの高さ寸法と略同一に設定されている。すなわち、後半部７１の縦断面形状は、取付口６５の左右両側の形状に対応する形状に形成されており、該取付口６５に対して後半部７１の内壁部７１ａを挿通部６５ａに前側から挿通し得ると共に、ガイド部７１ｂを案内凹部６５ｂに前側から挿通し得るようになっている。また、内壁部７１ａの上端は、前半部７０の上端から１段下がった位置から後方に延在するよう設定されており、後半部７１を取付口６５に前側から挿入した際に、内壁部７１ａの上端から上方に突出する前半部７０の後端が第１基体５９の前壁前面に当接することで、スイッチ保持体６８の後方移動が規制されて位置決めされるよう構成される。なお、上下逆向き姿勢としたスイッチ保持体６８の後半部７１を取付口６５に前側から挿通した際には、内壁部７１ａから下方に突出する前半部７０の後端に、前記取付口６５の下端縁から前方に突出する逆付け防止片６４ｄ,６４ｄが当接することで、該前半部７０の後端が第１基体５９の前壁前面に当接する位置まで後半部７１を取付口６５に挿入することができなくなり、当該スイッチ保持体６８の逆付け防止が図られるようになっている。
【００６８】
ここで、前記スイッチ保持体６８を第１基体５９に位置決めした状態において、前記前壁部６８ａに設けた上規制壁７２と第１基体５９の前壁５９ａとの対向面間の離間寸法、および両側壁部６８ｂ,６８ｂに設けた上規制壁７２,７２の対向面間の離間寸法は、何れもパチンコ球の直径より大きく設定される。すなわち、第１基体５９の前壁５９ａにスイッチ保持体６８を取り付けることで、該前壁５９ａの前側の遊技領域１３ａに、スイッチ保持体６８により画成されて上下方向に開口する開口部６７ａが臨み、該開口部６７ａを遊技領域１３ａ(第１経路３０ａ)を流下するパチンコ球が通過し得るようになっている。実施例では、スイッチ保持体６８の開口部６７ａを通過するパチンコ球を第１球通過検出スイッチ６９Ａで検出するように構成されており、該開口部６７ａは、後述する普図当り抽選の契機となる始動口として機能するよう構成される。そこで、該開口部６７ａについて、以後は始動口と指称するものとする。また、上規制壁７２の対応する壁部６８ａ,６８ｂ,６８ｂの内面から内側に張り出す寸法は、スイッチ保持体６８に保持された第１球通過検出スイッチ６９Ａにおける始動口６７ａに臨む後述の球通過孔６９ｂを覆わない寸法に設定される。なお、始動口６７ａは、遊技領域１３ａに常に開口して、該遊技領域１３ａを流下するパチンコ球が入球可能な入球口として機能する。また、実施例のスイッチ保持体６８は、第１基体５９に位置決めした状態で該第１基体５９の前側に臨む前壁部６８ａと左右の側壁部６８ｂ,６８ｂにおける前半部７０,７０とから前記開口部６７ａを画成する開口画成部が構成されて、該開口画成部における前半部７０,７０の後端から後方に延在するように前記ガイド壁部(導光部)７１ｂ,７１ｂが設けられている。
【００６９】
前記スイッチ保持体６８の内壁部７１ａの外側面には、前半部７０の後端から後方に前記第１基体５９における前壁５９ａの厚み分だけ離間した位置に、外方に突出する規制壁７１ｃがガイド部７１ｂを挟む上下両側に設けられている。すなわち、内壁部７１ａ、ガイド部７１ｂ、規制壁７１ｃおよび前半部７０によって、ガイド部７１ｂの上側には上方および外側方に開放した係合溝(嵌合部)７１ｄが形成されると共に、ガイド部７１ｂの下側には下方および外側方に開放した係合溝７１ｄが形成される。そして、前記取付口６５に対して後半部７１を前側から挿入し、両側壁部６８ｂ,６８ｂを相互に近接するように弾性変形させた状態で前記規制壁７１ｃ,７１ｃが取付口６５に形成されている前記被係合部６４ｃ,６４ｃを越えた位置に臨ませた後に弾性変形させていた力を解除することで、側壁部６８ｂ,６８ｂが相互に離間して各被係合部６４ｃ,６４ｃが対応する係合溝７１ｄ,７１ｄに嵌合することで、スイッチ保持体６８は、第１基体５９に対して前後、左右および上下の位置決めがなされた状態で保持されるよう構成される。
【００７０】
前記スイッチ保持体６８における両側壁部６８ｂ,６８ｂのガイド部７１ｂ,７１ｂにおける上下の係合溝７１ｄ,７１ｄの間に臨む外側面は平行に形成されており、各係合溝７１ｄに被係合部６４ｃが係合した際に、前記案内凹部６５ｂを画成する壁面がガイド部７１ｂの外側面に隙間なく当接するよう構成される。また、両ガイド部７１ｂ,７１ｂにおける平行に形成される部分の外側面の離間寸法は、前記取付口６５における両案内凹部６５ｂ,６５ｂを画成する壁面間の離間寸法より小さく設定されており、ガイド部７１ｂ,７１ｂの外側面が案内凹部６５ｂ,６５ｂを画成する壁面に側壁部６８ｂ,６８ｂの弾性によって当接するよう構成される。そして、この状態で両側壁部６８ｂ,６８ｂの内側面間の離間寸法は、前記第１球通過検出スイッチ６９Ａの横幅寸法と略同一となるように設定されており、両側壁部６８ｂ,６８ｂ間に後方から第１球通過検出スイッチ６９Ａを挿入することで、両側壁部６８ｂ,６８ｂの間に第１球通過検出スイッチ６９Ａが弾性的に挟持された状態となるようにしてある。なお、後半部７１における各内壁部７１ａの後端には、図１９に示す如く、後方に向かうにつれて外側方に傾斜する傾斜案内面７１ｅが形成されており、両側壁部６８ｂ,６８ｂの間への第１球通過検出スイッチ６９Ａの挿入を容易に行い得るようになっている。また、内壁部７１ａの内面は前半部７０の内面と同一面に臨むように形成されており、両側壁部６８ｂ,６８ｂの間に挿入された第１球通過検出スイッチ６９Ａには、側壁部６８ｂ,６８ｂの全長が当接して該第１球通過検出スイッチ６９Ａを安定して保持し得るよう構成される。
【００７１】
前記ガイド部７１ｂにおける係合溝７１ｄの形成位置より後側の部分は、外側面が後側に向かうにつれて外側方に変位するように傾斜するよう形成されることで、該部分は後側に向かうにつれて厚み寸法が大きくなるよう設定される。また、スイッチ保持体６８に力を加えていない無負荷状態での両ガイド部７１ｂ,７１ｂの後端における外側面間の離間寸法は、前記取付口６５の案内凹部６５ｂ,６５ｂを画成する壁面間の離間寸法より大きく設定されている。すなわち、両側壁部６８ｂ,６８ｂの後半部７１,７１を前記取付口６５に挿入する際には、両側壁部６８ｂ,６８ｂを相互に近接するように弾性変形したもとで、両ガイド部７１ｂ,７１ｂを案内凹部６５ｂ,６５ｂに挿入する。そして、両ガイド部７１ｂ,７１ｂを案内凹部６５ｂ,６５ｂに挿入した後は、スイッチ保持体６８を後方に向けて押すことで、ガイド部７１ｂ,７１ｂの外側面の傾斜によって案内されつつ後半部７１,７１が取付口６５にスムーズに押し込まれるよう構成される。なお、実施例では、スイッチ保持体６８の側壁部６８ｂは、上下の係合溝７１ｄ,７１ｄの間に臨む外側面を除く全体が、前側から後側に向かうにつれて左右方向の厚み寸法が大きくなるように設定されており、該側壁部６８ｂの外側面は、前記ガイド部７１ｂが形成される高さ方向の中央部において側壁部６８ｂの前端から後端に向けて外側に変位する傾斜面とされている。また、側壁部６８ｂを前側から後側に向かうにつれて左右方向の厚み寸法が大きくなるよう形成することで、ガイド部７１ｂ,７１ｂについても前側から後側に向かうにつれて左右方向の厚み寸法が大きくなっており、該ガイド部７１ｂ,７１ｂの後端面(導光面)が最も広くなるよう設定されている。
【００７２】
前記スイッチ保持体６８における前壁部６８ａと一方(実施例では右側)の側壁部６８ｂとが連設される隅部内面に、図１９に示す如く、内側に突出する突部６８ｃが設けられており、該突部６８ｃが、第１球通過検出スイッチ６９Ａの逆付け防止手段として機能するよう構成される。また、前記第１発光装置６３の発光基板６８ａには、図２０に示す如く、前記取付口６５に装着されたスイッチ保持体６８における各側壁部６８ｂの後端(具体的にはガイド部７１ｂの後端)に臨む位置に、該側壁部６８ｂに向けて光を照射可能なゲート用発光体６３ｃが実装されている。すなわち、透明な材料で形成されたスイッチ保持体６８における側壁部６８ｂのガイド部７１ｂは、ゲート用発光体６３ｃの光を前側に導びく導光部として機能するようになっており、これによってスイッチ保持体６８における前記第１基体５９の前側に臨む部分がゲート用発光体６３ｃの光によって明輝(発光装飾)し得るよう構成される。また、側壁部６８ｂに後端から入射した光は、側壁部６８ｂにおける傾斜する外側面側で反射するようになっており、後端から入射した光を拡散してスイッチ保持体６８の全体を明輝させ得るようになっている。なお、ガイド部７１ｂにおけるゲート用発光体６３ｃと対向する後端面(導光面)は、図２０に示す如く、該ゲート用発光体６３ｃから照射される光の照射範囲より大きく設定されており、ゲート用発光体６３ｃの光を該後端面(導光面)からガイド部内に効率的に導入し得るようになっている。
【００７３】
(第１球通過検出スイッチ６９Ａについて)
前記スイッチ保持体６８に配設される前記第１球通過検出スイッチ６９Ａは、図１８、図２０,図２１に示す如く、矩形状のスイッチ本体６９ａに、略円形状をなす球通過孔６９ｂを備え、該球通過孔６９ｂの内径は、パチンコ球の直径よりもやや大きく設定される。スイッチ本体６９ａの横幅寸法は、前記第１基体５９の取着部Ｋ１に装着したスイッチ保持体６８における両側壁部６８ｂ,６８ｂの離間寸法と略同一に設定される。また、スイッチ本体６９ａの上下方向の厚み寸法は、前記取付口６５における挿通部６５ａの上下寸法(上下の受部６４ａ,６４ｂの離間寸法)と略同一に設定される。そして、第１球通過検出スイッチ６９Ａは、スイッチ本体６９ａがスイッチ保持体６８における両側壁部６８ｂ,６８ｂの間に後側から挿入されることで、スイッチ保持体６８に保持されるようになっている。また、第１球通過検出スイッチ６９Ａは、スイッチ本体６９ａの前端がスイッチ保持体６８の前壁部６８ａの後面に当接した状態で、該スイッチ本体６９ａの後端に前記係合フック６６の係合爪６６ａが係脱自在に係合することで、第１基体５９に対して上下・左右・前後の位置決めがなされるようになっている。そして、第１球通過検出スイッチ６９Ａがスイッチ保持体６８に保持された状態において、前記球通過孔６９ｂは、第１基体５９の前壁５９ａより前側においてスイッチ保持体６８によって画成される始動口６７ａ内に位置するようになっている。これにより、第１球通過検出スイッチ６９Ａは、前記第１経路３０ａ(遊技領域１３ａ)を流下して球通過孔６９ｂ(始動口６７ａ)を通過するパチンコ球を検出し得るよう構成される。第１球通過検出スイッチ６９Ａは、前記メイン制御手段５７に配線接続されており(図２７参照)、該第１球通過検出スイッチ６９Ａは、パチンコ球の通過を検出して球検出信号をメイン制御手段５７に出力するようになっている。そして、第１球通過検出スイッチ６９Ａからメイン制御手段５７への球検出信号の入力(すなわちパチンコ球の検出)に伴って普図当り抽選(後述)が行われ、該普図当り抽選の結果に応じて前記始動入賞装置５２の始動入賞ソレノイド５５が駆動制御されて開閉部材５４が開閉動作するようになっている。
【００７４】
前記第１球通過検出スイッチ６９Ａがスイッチ保持体６８に保持された状態において、前記スイッチ本体６９ａの左右両側面が、図２０に示す如く、前記取付口６５に挿入されている両側壁部６８ｂ,６８ｂの内側面に当接し、該側壁部６８ｂ,６８ｂの内側への弾性変形を規制するよう構成される。すなわち、一対の側壁部６８ｂ,６８ｂの間にスイッチ本体６９ａが存在している状態では、前記係合溝７１ｄ,７１ｄに係合する被係合部６４ｃ,６４ｃの係合を解除する側壁部６８ｂの内側への弾性変形が規制されており、第１基体５９からスイッチ保持体６８の脱落は確実に防止されるようになっている。
【００７５】
前記スイッチ本体６９ａにおいて、前記スイッチ保持体６８における前壁部６８ａの一方の側壁部６８ｂとの連設隅部に設けられた前記突部６８ｃと対応する前側の一方の角部は、該突部６８ｃの形状に対応する大きさで切欠かれて、前側から後側に向かうにつれて外方へ傾斜する逆付け規制面６９ｃが形成されている。すなわち、第１球通過検出スイッチ６９Ａの上下方向が正しい向きでスイッチ本体６９ａの両側部が両側壁部６８ｂ,６８ｂの間に挿入された場合は、逆付け規制面６９ｃに突部６８ｃが当接しないことで、スイッチ本体６９ａは、後端に前記係合フック６６の係合爪６６ａが係合する位置まで挿通し得る(図２１の状態)。これに対し、第１球通過検出スイッチ６９Ａの上下方向が不正となる向き(上下が逆となる向き)でスイッチ本体６９ａが両側壁部６８ｂ,６８ｂの間に挿入された場合は、スイッチ本体６９ａの逆付け規制面６９ｃが形成されていない他方の角部が突部６８ｃに当接することで、スイッチ本体６９ａは、後端に前記係合フック６６の係合爪６６ａが係合する位置までの挿入が阻まれるようになっている。
【００７６】
(第１普通入賞口７３について)
前記第１基体５９の前側に配設される第１装飾品６０は、図１５に示す如く、前記前壁５９ａから前方に離間して平行に位置する装飾壁６０ａと、該装飾壁６０ａにおける第１基体５９の各貫通孔５９ｃと対応する位置の夫々に設けられて後方に延在する球受け通路部６０ｂとが設けられている。各球受け通路部６０ｂは、装飾壁６０ａと第１基板５９の前壁５９ａとの間に亘って延在するよう形成されると共に、上方に開口する樋形状に形成されている。すなわち、各球受け通路部６０ｂにおける第１基板５９の前壁５９ａと装飾壁６０ａとの間において上方に開口する部分が、前記第１経路３０ａ(遊技領域１３ａ)を流下するパチンコ球が入賞可能(入球可能)な第１普通入賞口(入球口)７３として機能している。また、各球受け通路部６０ｂは、後端部において第１基体５９の貫通孔５９ｃに連通接続しており、各第１普通入賞口７３に入賞したパチンコ球を対応の球受け通路部６０ｂおよび貫通孔５９ｃを介して図示しない球排出経路に誘導して機外に排出するよう構成してある。なお、実施例に係る３つの第１普通入賞口７３は、図２に示すように、第１サイド装飾体５８に対して前記始動入賞装置５２に近づくにつれて下方に位置する階段状に配置されている。また、３つの第１普通入賞口７３は、前記下側案内連釘２８の下方に位置しており、該下側案内連釘２８の隙間２８ａを通過したパチンコ球が第１普通入賞口７３に入賞可能に構成されている。
【００７７】
前記各第１普通入賞口７３に入賞したパチンコ球は、該パチンコ球の球排出経路に設けた第１普通入賞検出スイッチ７４ａ(図２７参照)によって検出可能に構成されている。この第１普通入賞検出スイッチ７４ａは、前記メイン制御手段５７に配線接続されており、該第１普通入賞検出スイッチ７４ａからメイン制御手段５７への球検出信号の入力に伴って所定数の賞球が払い出されるようになっている。実施例では、パチンコ球の入賞や通過等によって遊技者に利益となる賞球や普図当り抽選の権利が与えられる第１普通入賞口７３や、前記第１球通過ゲート６７の始動口６７ａが、パチンコ球が入球可能な入球口として機能する。
【００７８】
前記第１装飾品６０の上部位置に、前記装飾壁６０ａと第１基体５９の前壁５９ａとの間に延在する流路変更面６０ｃが設けられている。この流路変更面６０ｃは、図１５に示す如く、前記第１球通過ゲート６７の略真下に位置すると共に、左側から右側(レール部側から枠状装飾体側)に向かうにつれて下方傾斜するよう形成されており、第１球通過ゲート６７の始動口６７ｃを通過したパチンコ球を該流路変更面６０ｃで受けて該パチンコ球の流下方向を変更するべく機能している。また、第１装飾品６０には、最上段の第１普通入賞口７３と流路変更面６０ｃとの間に、装飾壁６０ａと第１基板５９の前壁５９ａとの間に延在する球案内面６０ｄが、左右方向に所定長さで設けられており、第１経路３０ａ(遊技領域１３ａ)を流下するパチンコ球を該球案内面６０ｄによって第１普通入賞口７３に向けて案内し得るようになっている。なお、球案内面６０ｄは、左側から右側に向けて下方傾斜するよう形成されている。また、球案内面６０ｄは、第１経路３０ａ(遊技領域１３ａ)を流下するパチンコ球の流下方向を変える流路変更面としても機能するものである。
【００７９】
ここで、前記第１サイド装飾体５８の球案内面６０ｄは、図２に示す如く、前記遊技盤１３に設けられた前記下側案内連釘２８の延長線上に位置するよう構成されており、該球案内面６０ｄ上に到来したパチンコ球を下側案内連釘２８へ向けて移動させるよう構成されている。すなわち、実施例のパチンコ機１０では、前記第１サイド装飾体５８の球案内面６０ｄと下側案内連釘２８(遊技釘２５)とによって、第１経路３０ａ(遊技領域１３ａ)を流下するパチンコ球を前記始動入賞装置５２の第２始動入賞口５３ｂに向けて誘導する誘導路を形成している。また、球案内面６０ｄの上方に前記回転案内部材２６が位置しており、該回転案内部材２６によって右方に弾かれたパチンコ球が、前記上側案内連釘２７側に移動し、該回転案内部材２６によって左方に弾かれたパチンコ球が、第１サイド装飾体５８の球案内面６０ｄ側に移動するよう構成されている。
【００８０】
(第２サイド装飾体７５について)
前記遊技盤１３の第２経路３０ｂにおいて前記第３盤面保護部材２０ｃに沿って形成される第４装着口２３ｄに配設される第２サイド装飾体(飾り部材)７５は、図２に示す如く、前記枠状装飾体２９の上下方向の略中間位置より下方から前記始動入賞装置５２の配設位置までの間に亘って延在する概略弓形状の部材であって、該第２サイド装飾体７５は、第３盤面保護部材(レール部)２０ｃの内側に沿って枠状装飾体側が凹となる姿勢で遊技盤１３に配設されている。第２サイド装飾体７５は、図２５に示す如く、略弓形状に形成された前壁７６ａの裏面に、該前壁７６ａの外縁から内側に離間した位置から後方に突出する側壁７６ｂを前壁７６ａの外縁に沿って形成した後方に開口する第２基体(ベース部材)７６を備え、該第２基体７６における前壁７６ａの前面に、光透過性の第２装飾品７７が配設されている。この第２装飾品７７の前面には、前記第１装飾品６０と同様にパチンコ機１０のモチーフとなる図柄等が形成されている。なお、第２サイド装飾体７５と第３盤面保護部材２０ｃとの間には殆ど隙間はなく、両部材５８,２０ｃの間にはパチンコ球は流下しないようになっているが、第３盤面保護部材２０ｃとの間にパチンコ球が流下可能な隙間(球経路)をあけて第２サイド装飾体７５を遊技盤１３に取り付けるようにしてもよい。
【００８１】
前記第２基体７６における前壁７６ａの裏面の略全体に、ダイヤモンドカット等の凹凸による光拡散加工が施されている。第２基体７６の裏側上部位置に、第２発光装置(遊技構成部品,発光手段)７８が配設されている。この第２発光装置７８は、図２４に示す如く、発光基板７８ａと、該発始基板７８ａの前面に実装されて前方に向けて光を照射するＬＥＤ等の複数の発光体７８ｂ,７８ｃと、発光基板７８ａと略同一形状に形成されて該発光基板７８ａの裏面を覆蓋保護するように発光基板７８ａの裏側に配設された透明保護部材７９とを備える。すなわち、第２発光装置７８の発光体７８ｂ,７８ｃを発光することで、前記第２基体７６に施された光拡散加工によって、第２サイド装飾体７５の上部位置が発光装飾されるようになっている。また、第２発光装置７８の発光基板７８ａには、第２基体７６に配設される第２球通過ゲート８０を明輝するためのゲート用発光体７８ｃが配設されている。なお、透明保護部材７９には、多数の放熱用の通孔７９ａが形成してある。
【００８２】
(第２球通過ゲート８０について)
前記第２基体７６の前壁７６ａにおける最上部に、第２球通過ゲート８０の取着部Ｋ２が設けられており、該取着部Ｋ２に、第２経路３０ｂ(遊技領域１３ａ)を流下するパチンコ球が通過可能で、通過するパチンコ球を第２球通過検出スイッチ６９Ｂで検出可能な第２球通過ゲート８０が着脱自在に取り付けられている。第２基体７６における取着部Ｋ２の構成および第２球通過ゲート８０の構成は、前記第１基体５９における取着部Ｋ１の構成および第１球通過ゲート６７の構成と基本的には同じであるので異なる部分についてのみ説明し、第１基体５９の取着部Ｋ１および第１球通過ゲート６７と同一部分には同じ符号を付すものとする。なお、第２球通過ゲート８０の始動口(開口部)については、第１球通過ゲート６７の始動口６７ａと区別するために符号８０ａで示すものとする。
【００８３】
前記第２基体７６の取着部Ｋ２における上受部６４ｂに、図２５に示す如く、係合フック６６と平行に発光装置用係合フック８１が後方に向けて延在するように設けられると共に、該取着部Ｋ２における下受部６４ａの後端に、後方に突出する位置決め片８２が設けられている。前記第２発光装置７８の透明保護部材７９に、取着部Ｋ２の下受部６４ａや係合フック６６との干渉を防止する凹部７９ｂが該取着部Ｋ２に対応する位置に設けられると共に、該透明保護部材７９には、凹部７９ｂ内に延出する係合壁７９ｃが設けられている。また係合壁７９ｃには、前記下受部６４ａの位置決め片８２と対応する位置に係合溝７９ｄが設けられている。すなわち、第２発光装置７８は、透明保護部材７９の係合壁７９ｃに発光装置用係合フック８１が係合すると共に、係合溝７９ｄに位置決め片８２が係合することで第１基体７６に対して前後および左右方向の位置決めがなされ、この状態で透明保護部材７９を１本のネジによって第２基板７６にネジ止めすることで、当該第２発光装置７８が第２基板７６の裏側に位置決め固定されるようになっている。
【００８４】
前記第２基板７６の前壁７６ａには、図２５に示す如く、前記取着部Ｋ２より下方位置に前後方向に貫通するアウト口用貫通孔８３および入賞口用貫通孔８４が設けられると共に、これら貫通孔群の形成位置より下方位置に、前後方向に貫通する開口部８５が設けられている。この開口部８５は矩形状に形成されており、後述する特別入賞装置９０の特別入賞口(入賞口)として機能するものであって、以後は特別入賞口と指称する。
【００８５】
(第２装飾品７７について)
前記第２基体７６の前側に配設される第２装飾品７７は、該第２基体７６の前壁７６ａから前方に離間して平行に位置する装飾壁７７ａと、該装飾壁７７ａの外周縁から後方に突出する側壁７７ｂとから、後方に開口する箱状に形成されている。そして、第２装飾品７７における側壁７７ｂにより画成される空間内に臨む前壁７６ａの裏面に、該空間と略同一形状に形成された光拡散シート８６が取り付けられると共に、空間内には該空間と略同一形状に形成された装飾品用発光基板(遊技構成部品,発光装置)８７が着脱自在に配設されている。装飾品用発光基板８７の前面に、前方に向けて光を照射するＬＥＤ等の複数の発光体８７ａが実装されており、該発光体８７ａを発光することで、前記光拡散シート８６および第２基体７６に施された光拡散加工によって、第２装飾品７７の全体が発光装飾されるようになっている。
【００８６】
(第２普通入賞口８８について)
前記第２装飾品７７の装飾壁７７ａにおける第２基体７６に設けた入賞口用貫通孔８４と対応する位置に、図２５に示す如く、後方に延在する入賞口用球受け通路部７７ｃが設けられている。入賞口用球受け通路部７７ｃは、装飾壁７７ａと第２基体７６の前壁７６ａとの間に亘って延在するよう形成されると共に、上方に開口する樋形状に形成されている。すなわち、入賞口用球受け通路部７７ｃにおける第２基体７６の前壁７６ａと装飾壁７７ａとの間において上方に開口する部分が、前記第２経路３０ｂ(遊技領域１３ａ)を流下するパチンコ球が入賞可能(入球可能)な第２普通入賞口(入球口)８８として機能している。また、入賞口用球受け通路部７７ｃは、後端部において第２基体７６の入賞口用貫通孔８４に連通接続しており、第２普通入賞口８８に入賞したパチンコ球を入賞口用球受け通路部７７ｃおよび入賞口用貫通孔８４を介して図示しないセーフ球用排出経路に誘導して機外に排出するよう構成してある。
【００８７】
(第２アウト口８９について)
前記第２装飾品７７の装飾壁７７ａにおける第２基体７６に設けたアウト口用貫通孔８３と対応する位置に、図２５に示す如く、後方に延在するアウト口用球受け通路部７７ｄが設けられている。アウト口用球受け通路部７７ｄは、装飾壁７７ａと第２基体７６の前壁７６ａとの間に亘って延在するよう形成されると共に、上方に開口する樋形状に形成されている。そして、アウト口用球受け通路部７７ｄにおける第２基体７６の前壁７６ａと装飾壁７７ａとの間において上方に開口する部分が、前記第２経路３０ｂ(遊技領域１３ａ)を流下するパチンコ球を機外に排出する第２アウト口８９として機能している。すなわち、アウト口用球受け通路部７７ｄは、後端部において第２基体７６のアウト口用貫通孔８３に連通接続しており、第２アウト口８９に通入したパチンコ球をアウト口用球受け通路部７７ｄおよびアウト口用貫通孔８３を介して図示しないアウト球用排出経路に誘導して機外に排出するよう構成してある。
【００８８】
実施例では、第２アウト口８９より下方に第２普通入賞口８８が位置すると共に、該第２アウト口８９および第２普通入賞口８８は、前記第２経路３０ｂに植設した後述する案内連釘１０３の下方に位置しており、該案内連釘１０３の隙間１０３ａを通過したパチンコ球が第２アウト口８９および第２普通入賞口８８に通入可能に構成されている。
【００８９】
前記第２普通入賞口８８に入賞したパチンコ球は、前記セーフ球用排出経路に設けた第２普通入賞検出スイッチ７４ｂ(図２７参照)によって検出可能に構成されている。この第２普通入賞検出スイッチ７４ｂは、前記メイン制御手段５７に配線接続されており、該第２普通入賞検出スイッチ７４ｂからメイン制御手段５７への球検出信号の入力に伴って所定数の賞球が払い出されるようになっている。実施例では、パチンコ球の入賞や通過等によって遊技者に利益となる賞球や普図当り抽選の権利が与えられる第２普通入賞口８８や、前記第２球通過ゲート８０の始動口８０ａが、パチンコ球が入球可能な入球口として機能する。
【００９０】
(特別入賞装置９０について)
前記第２基体７６には、前記特別入賞口８５と対応する裏側位置に特別入賞装置(入賞装置)９０が配設されている。この特別入賞装置９０は、図２６に示す如く、第２基体７６の裏面に着脱自在に配設される入賞装置本体９１に、前記特別入賞口８５に連通する空間部が画成されると共に、該入賞装置本体９１には、空間部の前側に特別入賞口８５を開閉自在に閉成する開閉扉(開閉部材)９２が配設されている。また入賞装置本体９１には、駆動手段としての特別入賞ソレノイド９３が配設されると共に、該特別入賞ソレノイド９３と開閉扉９２とを連繋する連繋機構９４が入賞装置本体９１に配設されている。そして、特別入賞ソレノイド９３を駆動することで、連繋機構９４を介して開閉扉９２が特別入賞口８５を閉鎖する閉鎖位置と開放する開放位置に変位するよう構成されている。実施例では、前記開閉扉９２は下端部を中心として前後方向へ揺動することで特別入賞口８５を開閉するよう構成されており、起立した閉鎖位置から前側に傾斜した開放位置に変位することで該開閉扉９２は遊技領域１３ａに延出して上方から流下してくるパチンコ球を受けて特別入賞口８５に案内し得るよう構成される。
【００９１】
前記入賞装置本体９１には、前記特別入賞口８５に入賞したパチンコ球を検出する特別入賞検出手段としての特別入賞検出スイッチ９５が配設されている。特別入賞検出スイッチ９５は、前記メイン制御手段５７に配線接続されており(図２７参照)、特別入賞検出スイッチ９５がパチンコ球を検出すると、検出信号をメイン制御手段５７に出力し、メイン制御手段５７の制御下に予め設定された数の賞球が払い出されるようになっている。なお、前記特別入賞ソレノイド９３は、前記始動入賞装置５２へのパチンコ球の入賞を契機として特別入賞装置９０を開放する当り遊技(大当り遊技)が付与される場合に、当りの種類に応じた所定の開閉条件に従ってメイン制御手段５７によって駆動制御される。
【００９２】
前記入賞装置本体９１は、図２６に示す如く、前後方向に開口する略角筒状の基体部９１ａと、基体部９１ａにおける後開口を閉塞するように該基体部９１ａの裏面に配設された蓋体９１ｂとから構成されて、該基体部９１ａおよび蓋体９１ｂとによって前方に開放する前記空間部が内部画成されるようになっている。基体部９１ａおよび蓋体９１ｂは、何れも透明な樹脂材料によって形成されると共に、基体部９１ａの外周面および蓋体９１ｂの前面には夫々光拡散加工が施されている。また、入賞装置本体９１における蓋体９１ｂの裏側に、第３発光装置(遊技構成部品,発光手段)９６が配設されている。この第３発光装置９６は、発光基板９６ａと、該発始基板９６ａの前面に実装されて前方に向けて光を照射するＬＥＤ等の複数の発光体９６ｂと、発光基板９６ａと略同一形状に形成されて該発光基板９６ａの裏面を覆蓋保護するように発光基板９６ａの裏側に配設された透明保護部材９６ｃとを備える。すなわち、第３発光装置９６の発光体９６ｂを発光することで、前記蓋体９１ｂおよび基体部９１ａに施された光拡散加工によって、入賞装置本体９１の全体を発光装飾し得るようになっている。なお、図２６の符号９７は、前記発光体９６ｂの前側に位置する光拡散シートを示し、該光拡散シート９７によっても発光体９６ｂの光を拡散し得るようになっている。
【００９３】
(流路変更面９８,９９,１００について)
前記第２装飾品７７の最上部位置に、前記装飾壁７７ａと第２基体７６の前壁７６ａとの間に延在する第１流路変更面(流路変更面)９８が設けられている。この第１流路変更面９８は、図２２に示す如く、前記第２球通過ゲート８０の上方で前記第３盤面保護部材２０ｃの内側に偏倚して位置すると共に、右側から左側(第３盤面保護部材側から枠状装飾体側)に向かうにつれて下方傾斜するよう形成されており、前記第２経路３０ｂを第２サイド装飾体７５に向けて流下するパチンコ球を受けて該パチンコ球の流下方向を変更するべく機能している。また、第２装飾品７７には、前記第１流路変更面９８から下方に離間した位置に、前記装飾壁７７ａと第２基体７６の前壁７６ａとの間に延在する第２流路変更面(流路変更面)９９が設けられている。この第２流路変更面９９は、図２３に示す如く、前記第２球通過ゲート８０の略真下に位置すると共に、右側から左側(第３盤面保護部材側から枠状装飾体側)に向かうにつれて下方傾斜するよう形成されており、第２球通過ゲート８０の始動口８０ａを通過したパチンコ球を該第２流路変更面９９で受けて該パチンコ球の流下方向を変更するべく機能している。更に、第２装飾品７７には、前記特別入賞口８５の下側に、前記装飾壁７７ａと第２基体７６の前壁７６ａとの間に延在する第３流路変更面(流路変更面)１００が設けられている。この第３流路変更面１００は、図２３に示す如く、右側から左側(第２流路変更面側から始動入賞装置側)に向かうにつれて下方傾斜するよう形成されており、特別入賞口８５に入賞しなかったパチンコ球を受けて該パチンコ球の流下方向を変更するべく機能している。
【００９４】
ここで、前記第２球通過ゲート８０の上方に位置する第１流路変更面９８は、第２経路３０ｂ(遊技領域１３ａ)を流下するパチンコ球を受けて該パチンコ球の流下方向を第２球通過ゲート８０の始動口８０ａに向けて案内する球案内面として機能している。また、前記第２普通入賞口８８の上方に位置する第２流路変更面９９は、第２経路３０ｂ(遊技領域１３ａ)を流下するパチンコ球を受けて該パチンコ球の流下方向を第２普通入賞口８８に向けて案内する球案内面として機能するようになっている。なお、前記第３流路変更面１００で受けられたパチンコ球は、前記始動入賞装置５２の第２始動入賞口５３ｂに向けて案内されるように構成されている。すなわち、第２サイド装飾体７５には、当該装飾体７５に設けられた始動口８０ａや入賞口(第２普通入賞口８８)に向けてパチンコ球を案内する球案内面のみでなく、第２サイド装飾体７５とは別に遊技盤１３に設けられた入賞口(第２始動入賞口５３ｂ)に向けてパチンコ球を案内する球案内面も設けられている。
【００９５】
(誘導面１０１,１０２について)
前記第２装飾品７７には、第２普通入賞口８８と特別入賞口８５との間に、前記装飾壁７７ａと第２基体７６の前壁７６ａとの間に延在する複数の誘導面１０１,１０２が、左右方向に所定長さで設けられており、前記第２球通過ゲート８０の始動口８０ａを通過して前記第２流路変更面９９で流下方向が変えられたパチンコ球を、該誘導面１０１,１０２によって前記特別入賞口８５に向けて誘導し得るようになっている。各誘導面１０１,１０２は、図２３に示す如く、右側から左側(第２球通過ゲート側から特別入賞口側)に向けて下方傾斜するよう形成されると共に、上側に位置する第１誘導面１０１と下側に位置する第２誘導面１０２とは所定高さ離間して位置している。そして、実施例では、第２球通過ゲート８０の始動口８０ａを通過したパチンコ球が第１誘導面１０１によって特別入賞口８５に直接誘導されたり、第１誘導面１０１で誘導されたパチンコ球が第２誘導面１０２を介して特別入賞口８５に誘導されたりするよう構成される。なお、実施例では、両誘導面１０１,１０２で受けられたパチンコ球は、特別入賞口８５の前方に向けて誘導されるようになっており、前記開閉扉９２が開放位置となっている場合には誘導されたパチンコ球が開閉扉９２に当て受けられて特別入賞口８５に入賞可能になっている。
【００９６】
また、前記第２サイド装飾体７５に設けられる誘導面１０１,１０２は、第２経路３０ｂ(遊技領域１３ａ)を流下するパチンコ球の流下方向を変える流路変更面としても機能する。すなわち、前記第２球通過ゲート８０の始動口８０ａを通過することなく第２経路３０ｂ(遊技領域１３ａ)を流下するパチンコ球が第１誘導面１０１によって特別入賞口８５に直接誘導されたり、第１誘導面１０１で誘導されたパチンコ球が第２誘導面１０２を介して特別入賞口８５に誘導されたり、または第２球通過ゲート８０の始動口８０ａを通過することなく第２経路３０ｂ(遊技領域１３ａ)を流下するパチンコ球が第２誘導面１０２によって特別入賞口８５に直接誘導されたりするよう構成される。
【００９７】
ここで、前記枠状装飾体２９と第２サイド装飾体７５との間に臨む遊技領域１３ａに、図２,図２２に示す如く、右側から左側に向けて下方傾斜する線上に沿って複数の遊技釘２５が並ぶように設けられている。これら遊技釘群について、案内連釘１０３と指称するものとする。この案内連釘１０３は、前記第２経路３０ｂ(遊技領域１３ａ)を流下するパチンコ球を特別入賞口８５へ案内する案内部として機能する。また、案内連釘１０３を構成する遊技釘２５は、適宜位置でパチンコ球が通過可能な隙間１０３ａ,１０３ｂ,１０３ｃが空くよう設けられており、該案内連釘１０３上を移動するパチンコ球が前記第２普通入賞口８８,第２アウト口８９および誘導面１０１,１０２へ流下し得るようになっている。実施例では、案内連釘１０３に３箇所の隙間１０３ａ,１０３ｂ,１０３ｃが設けられており、これら隙間１０３ａ,１０３ｂ,１０３ｃを区別する場合は、上側から順に第１隙間１０３ａ、第２隙間１０３ｂ、第３隙間１０３ｃと指称する場合がある。
【００９８】
前記案内連釘１０３は、図２３に示す如く、最上部が前記第２球通過ゲート８０における始動口８０ａの下方で前記第２流路変更面９９の左方に位置すると共に、第１隙間１０３ａが、前記第２普通入賞口８８の上方に位置し、第２隙間１０３ｂが第１誘導面１０１の上方に位置し、第３隙間１０３ｃが第２誘導面１０２と特別入賞口８５との間に位置している。すなわち、第２流路変更面９９で受けられて左方に案内されたパチンコ球は、案内連釘１０３の第１隙間１０３ａから落下して第２普通入賞口８８や第２アウト口８９に入球可能に構成される。これに対し、第１隙間１０３ａから落下することなく案内連釘１０３上を流下したパチンコ球は、第２隙間１０３ｂから第１誘導面１０１に落下し、該第１誘導面１０１で左方に誘導されたパチンコ球が再び第２隙間１０３ｂを介して案内連釘１０３上に移動可能に構成されている。そして、第１誘導面１０１より下側の案内連釘１０３上を流下するパチンコ球は、第３隙間１０３ｃから落下し、該パチンコ球が前記第２誘導面１０２上に落下したり、前記特別入賞口８５の前側を流下可能に構成されている。すなわち、第３隙間１０３ｃを落下するパチンコ球は、前記特別入賞装置９０における開閉扉９２の閉鎖位置では、該開閉扉９２の前を流下して前記第３流路変更面１００上に落下し、該パチンコ球が前記始動入賞装置５２に向けて案内され、該開閉扉９２の開放位置では第３隙間１０３ｃを落下するパチンコ球が特別入賞口８５に入賞可能になっている。
【００９９】
ここで、前記特別入賞装置９０では、前記特図当り抽選に当選して「大当り」の発生時に行われる大当り遊技において、前記特別入賞口８５へのパチンコ球の入賞が阻まれる不利な第１状態(特別入賞口８５の開閉扉９２による閉鎖)と、特別入賞口８５へのパチンコ球の入賞が許容される第２状態(特別入賞口８５の開閉扉９２による開放)とに変動されるラウンド遊技を繰返すよう構成される。ここで、特別入賞装置９０におけるラウンド遊技とは、不利な第１状態から有利な第２状態に移行し、再び不利な第１状態に移行するまでを云い、大当り遊技において予め決定された継続回数のラウンド遊技が繰返されるようになっている。また、ラウンド遊技において第１状態から第２状態への移行は、第１状態から第２状態へ移行してからの第２状態の継続時間(特別入賞口８５の開放時間)、または第２状態での特別入賞口８５へのパチンコ球の入賞数(特別入賞検出スイッチ９５による設定数のパチンコ球の検出)の何れかが、予め設定された値となったことを条件として行われる。
【０１００】
(設置部材１９について)
前記設置部材１９は、図３に示す如く、矩形状の背壁１９ａと、該背壁１９ａの周縁から前方へ向けて突出する囲い壁１９ｂとから前方に開口する矩形箱状に形成された部材であって、該設置部材１９は、囲い壁１９ｂの前縁から外側方へ延在するフランジ１９ｃを遊技盤１３の後面に当接した状態で該遊技盤１３に取り付けられる。また、背壁１９ａには、該背壁１９ａの後面に配設された前記図柄表示装置１８の表示部１８ａを前方へ露出させる設置開口部１９ｄが形成されている。そして、設置部材１９の内側(図柄表示装置１８より前側)に、駆動手段としての駆動モータ１０５(図２７参照)により可動部材を動作することによって演出を行う可動演出装置Ｅが配設されており、該可動演出装置Ｅは、図柄表示装置１８の表示部１８ａで表示される図柄変動演出に関連して動作可能に構成されている。
【０１０１】
(遊技情報表示部Ｍについて)
前記遊技盤１３の所定位置(実施例では、遊技領域１３ａ外の右下部位置)には、前記メイン制御手段５７により決定された各種の遊技情報を表示する遊技情報表示部Ｍが設けられており、当該遊技情報表示部Ｍを確認することで、遊技に必要な遊技情報を適宜に確認し得るようになっている。遊技情報表示部Ｍには、前記第１始動入賞口５３ａおよび第２始動入賞口５３ｂへの入賞を契機として行われる特図当り判定(特図当り抽選)の結果を示す報知用の特別図柄を特定可能に表示する特図表示部(表示手段)１６０Ａ,１６０Ｂが設けられる(図２７参照)。特図表示部１６０Ａ,１６０Ｂは、第１始動入賞口５３ａへの入賞(第１始動入賞検出スイッチ５６ａの検出)を契機として、複数種類の特別図柄の変動表示を開始する第１特図表示部１６０Ａと、第２始動入賞口５３ｂへの入賞(第２始動入賞検出スイッチ５６ｂの検出)を契機として、複数種類の特別図柄の変動表示を開始する第２特図表示部１６０Ｂとから構成される。そして、前記各始動入賞口５３ａ,５３ｂへのパチンコ球の入賞を契機として、対応する特図表示部１６０Ａ,１６０Ｂの変動表示が行われ、最終的に複数種類の特別図柄の内の１つを表示するようになっている。また、特図表示部１６０Ａ,１６０Ｂの何れかに、大当り表示としての特別図柄が表示されることで、当り表示に対応した大当り遊技(遊技者に利益を与えることが可能な遊技)が引き続いて遊技者に付与されるようになっている。
【０１０２】
前記遊技情報表示部Ｍには、前記球通過検出スイッチ６９Ａ,６９Ｂのパチンコ球の検出(球通過ゲート６７,８０のパチンコ球の通過)を契機として行われる普図当り判定(普図当り抽選)の結果を示す報知用の普通図柄を特定可能に表示する普図表示部(表示手段)１６１が設けられる(図２７参照)。普図表示部１６１は、球通過検出スイッチ６９Ａ,６９Ｂのパチンコ球の検出(球通過ゲート６７,８０の始動口６７ａ,８０ａに対するパチンコ球の通過(入球))を契機として、複数種類の普通図柄を変動表示させて１つの普通図柄を導出する変動表示が行われるようになっている。そして、普図表示部１６１に当り表示としての普通図柄が表示されることで、当り表示に対応して前記始動入賞装置５２の始動入賞ソレノイド５５が駆動制御されて開閉部材５４が開閉動作するようになっている。
【０１０３】
(パチンコ機の制御構成について)
次に、パチンコ機１０の制御構成について簡単に説明する。実施例のパチンコ機１０には、図２７に示す如く、パチンコ機１０を全体的に制御するメイン制御手段５７と、該メイン制御手段５７からの制御信号に基づいて各制御対象を制御するサブ制御手段１６２とが設けられている。すなわち、メイン制御手段５７では、パチンコ機１０に備えられた各種検出スイッチ(検出手段)からの検出信号に基づいて各種処理が実行され、その処理結果に応じた各種の制御信号(制御コマンド)がサブ制御手段１６２に出力されるようになっている。そして、サブ制御手段１６２は、メイン制御手段７２が出力した制御信号(制御コマンド)に基づいて、前記図柄表示装置１８、可動演出装置Ｅ、発光装置６３,７８,８７,９６,１１８,１３４およびスピーカ１６３を制御するよう構成されており、パチンコ機１０で実行される各種遊技演出(図柄変動演出や発光演出、音声演出)をサブ制御手段１６２が統括的にコントロールし得るようになっている。
【０１０４】
前記メイン制御手段５７は、制御処理を実行するメイン制御ＣＰＵ、該メイン制御ＣＰＵが実行する制御プログラムを記憶するメイン制御ＲＯＭ、当該メイン制御ＣＰＵの処理に必要なデータの書込み・読出しが可能なメイン制御ＲＡＭ等が備えられている。そして、前記始動入賞検出スイッチ５６ａ,５６ｂ、特別入賞検出スイッチ９５、普通入賞検出スイッチ７４ａ,７４ｂ、球通過検出スイッチ６９Ａ,６９Ｂ等の各種スイッチが前記メイン制御手段５７に接続されている。また、メイン制御手段７５には、遊技情報表示部Ｍの各表示部(第１および第２特図表示部１６０Ａ,１６０Ｂ、普図表示部１６１)が接続されて、各検出スイッチ５６ａ,５６ｂ,６９Ａ,６９Ｂの検出を契機としてメイン制御手段５７で実行された制御処理に基づいて、遊技情報表示部Ｍの各表示部１６０Ａ,１６０Ｂ,１６１の表示制御が実行されるようになっている。また、メイン制御手段５７には、前記第２始動入賞口５３ｂを開閉する開閉部材５４に連繋する始動入賞ソレノイド５５および特別入賞口８５を開閉する開閉扉９２に連繋する特別入賞ソレノイド９３が接続されており、該メイン制御手段５７での制御処理結果に基づいて各ソレノイド５５,９３を駆動させることで、対応する開閉部材５４や開閉扉９２が開閉するようになっている。
【０１０５】
前記メイン制御手段５７は、前記第１始動入賞口５３ａまたは第２始動入賞口５３ｂへパチンコ球が入賞したこと(より具体的には第１始動入賞検出スイッチ５６ａまたは第２始動入賞検出スイッチ５６ｂがパチンコ球を検出したこと)を契機として特図当りか否かを判定する特図当り抽選を実行するよう設定される。ここで、前記特図当り抽選は、各始動入賞検出スイッチ５６ａ,５６ｂからパチンコ球の検出信号が入力された時点において、メイン制御手段５７に予め設定された多数種類の乱数値(特図当り判定用)の内から１つを取得する乱数抽選が行われ、該取得した乱数値(特図当り判定用)に基づいて特図当りを発生するか否かを決定する。またメイン制御手段５７は、前記第１球通過ゲート６７の始動口６７ａまたは第２球通過ゲート８０の始動口８０ａをパチンコ球が通過したこと(より具体的には第１球通過検出スイッチ６９Ａまたは第２球通過検出スイッチ６９Ｂがパチンコ球を検出したこと)を契機として普図当りか否かを判定する普図当り抽選を実行するよう設定される。ここで、前記普図当り抽選は、各球通過検出スイッチ６９Ａ,６９Ｂからパチンコ球の検出信号が入力された時点において、メイン制御手段５７に予め設定された多数種類の乱数値(普図当り判定用)の内から１つを取得する乱数抽選が行われ、該取得した乱数値(普図当り判定用)に基づいて普図当りを発生するか否かを決定する。すなわち、メイン制御手段５７は、第１始動入賞口５３ａまたは第２始動入賞口５３ｂにパチンコ球が入賞した特定条件が成立したときに、特図当り(当り)か否かの判定を行う特図当り判定手段(当り判定手段)としての機能を有する。またメイン制御手段５７は、第１球通過ゲート６７の始動口６７ａまたは第２球通過ゲート８０の始動口８０ａをパチンコ球が通過した特定条件が成立したときに、普図当り(当り)か否かの判定を行う普図当り判定手段(当り判定手段)としての機能を有する。
【０１０６】
前記サブ制御手段１６２には、制御処理を実行するサブ制御ＣＰＵ、該サブ制御ＣＰＵが実行する制御プログラムを記憶するサブ制御ＲＯＭ、当該サブ制御ＣＰＵの処理に必要なデータの書込み・読出しが可能なサブ制御ＲＡＭ等が備えられている。前記サブ制御ＲＯＭには、前記図柄表示装置１８の図柄変動演出において実行する図柄変動演出の具体的な演出内容および可動演出装置Ｅの具体的な動作内容を特定する演出パターンが記憶されており、サブ制御手段１６２は、該サブ制御手段１６２が決定した演出パターンで特定される演出内容を図柄表示装置１８で表示するように該図柄表示装置１８を制御する。すなわち、サブ制御手段１６２は、図柄表示装置１８で実行される表示演出を制御する表示制御手段としての機能を有している。また、サブ制御手段１６２には、前記駆動モータ１０５が接続されており、該サブ制御手段１６２が決定した演出パターンに基づいて駆動モータ１０５を駆動制御することで、当該演出パターンで特定される動作を可動演出装置Ｅで実行し得るよう構成されている。すなわち、サブ制御手段１６２は、可動演出装置Ｅが備える駆動モータ１０５を駆動制御す駆動制御手段としての機能を有している。
【０１０７】
(実施例の作用)
次に、前述のように構成された実施例に係るパチンコ機１０の作用につき説明する。
【０１０８】
前記前枠１４の前面側に設けられた前記操作ハンドル１７の操作レバー１７ａを遊技者が回転操作すると、前記打球発射装置から発射されたパチンコ球が前記遊技盤１３に設けた案内レール２１により画成された発射通路２２を介して遊技領域１３ａ内に打ち出される。このとき、前記操作レバー１７ａの回動量に応じてパチンコ球の打ち出し位置が変化し、打ち出し位置に応じて遊技領域１３ａの第１経路３０ａまたは第２経路３０ｂをパチンコ球が流下する。
【０１０９】
(ステージ３１の作用)
前記第１経路３０ａを流下する「左打ち」となるようパチンコ球が打ち出され、該第１経路３０ａを流下するパチンコ球が前記球導入部３２の球入口３２ａに通入すると、該パチンコ球は球導入部３２の通路３２ｂを移動して球出口３２ｂから前記ステージ３１における前記第１球転動部３３ａ上に通出される。このパチンコ球は、第１球転動部３３ａを左端から右端に向けて転動した後に、該第１球転動部３３ａを右端から左端に転動し、勢いがある程度弱くなった該パチンコ球は、前記球通過部３３ｅから第２球転動部３４ａに移動する。なお、第１球転動部３３ａの右側の開放端は閉塞部材によって塞がれているので、球導入部３２の球出口３２ｂから通出したパチンコ球の勢いが強い場合であっても、該パチンコ球が第１球転動部３３ａから飛び出すのは閉塞部材で防止される。
【０１１０】
前記第１球転動部３３ａから第２球転動部３４ａに移動するパチンコ球は、前記球通過部３３ｅを通過する際の位置や向きによって、第２球転動部３４ａに設けた前記接触部３８に接触したり接触しなかったりすることで、第２球転動部３４ａ上でのパチンコ球の動きが多様になる。具体的には、前記接触部３８は、図７に示す如く、球通過部３３ｅに対して左側に偏倚して配置されているので、球通過部３３ｅの左側に偏った位置を通過したパチンコ球の多くは、接触部３８に接触し易く、該接触によって第２球転動部３４ａでの移動方向が変化する。これに対し、球通過部３３ｅの右側に偏った位置を通過したパチンコ球は、接触部３８に接触し難く、該接触部３８より右側の球転動面の傾斜に沿って速やかに右側に移動する。但し、球通過部３３ｅに対して左斜め前側から右斜め後側に向けて斜めに横切って通過したパチンコ球は、前記接触部３８には殆ど接触することなく、そのまま接触部３８より右側の第２球転動面３４ａ上を右側に向けて移動する。これに対し、球通過部３３ｅに対して右斜め前側から左斜め後側に向けて斜めに横切って通過したパチンコ球は、前記接触部３８に略接触するようになり、該接触部３８との接触によってパチンコ球の移動方向が変更される可能性が高くなる。このように、球通過部３３ｅを通過する際のパチンコ球の勢いや通過位置によって、パチンコ球の移動方向が接触部３８の接触によって変更されたり変更されない状況が発生し、ステージ３１上でのパチンコ球の動きが単調とならず、遊技の興趣を向上し得る。
【０１１１】
また、実施例の接触部３８は、第１球転動部３３ａのパチンコ球が第２球転動部３４ａに移動する球通過部３３ｅに対し、前記始動入賞装置５２の真上の遊技領域１３ａにパチンコ球を排出する第１球通路４０が設けられる左側に偏倚しており、第１球通路４０側へのパチンコ球の移動が比較的難しくなるようにしているので、パチンコ球が球通過部３３ｅを通過する位置や向き等に対する遊技者の関心を高めることができる。そして、第２球転動部３４ａに移動したパチンコ球が接触部３８より左側の球転動面を左側に移動して第１球通路４０に通入した場合は、遊技者に大きな喜びを与えることができる。更に、実施例のステージ３１では、第２球転動部３４ａの球転動面における接触部３８より右側の勾配を左側の勾配より大きく設定しているので、パチンコ球が接触部３８より左側に移動するのをより難しくしているので、第２球転動部３４ａに移動したパチンコ球が接触部３８より左側に移動した場合は、より大きな喜びを遊技者に与えることができる。また、接触部３８を球通過部３３ｅに対して左右方向の一方に偏倚させたり、接触部３８を挟む左右の球転動面の勾配を異ならせることで、ステージ３１に受け入れられたパチンコ球の、前記始動入賞装置５２の第１始動入賞口５３ａに対する入賞率を調節することができる。
【０１１２】
実施例のステージ３１における第２球転動部３４ａは、図９に示す如く、前記接触部３８より左側の球転動面の長さより右側の球転動面の長さが長く、かつ勾配も大きくなっているので、接触部３８の右側の球転動面を右端に向けて移動するパチンコ球の勢いが徐々に増していき、該パチンコ球が第２ステージ部材３４の右端の壁に衝突して左側に跳ね返ることで、前記第２球通過口３４ｆにスムーズに通入しなくなることが考えられる。しかし、実施例のステージ３１では、第２ステージ部材３４の案内壁３４ｃにおける第２球転動部３４ａの傾斜下端側に複数のリブ３４ｇを設けているので、該第２球転動部３４ａを移動するパチンコ球がリブ３４ｇに接触することで勢いを弱めることができ、第２球通過口３４ｆにパチンコ球をスムーズに通入させることができる。すなわち、複数のパチンコ球が連続して第２球転動部３４ａに移動して右方に移動した場合であっても、球詰りを生じさせることなくパチンコ球を第２球通過口３４ｆに通入させ得る。
【０１１３】
前記第２球転動部３４ａから第１球通過口３４ｅを介して第１球通路４０に通入したパチンコ球は、該第１球通路４０を流下し、前記前面装飾部材４２の通口４２ｃから前記遊技領域１３ａに排出される。前記通口４２ｃは、図２に示す如く、前記始動入賞装置５２の第１始動入賞口５３ａの真上に位置しているので、該通口４２ｃから遊技領域１３ａに排出されたパチンコ球は、高い確率で第１始動入賞口５３ａに入賞する。第１球通路４０を流下するパチンコ球は、該第１球通路４０を画成する後壁３６ｃに設けられた長孔３６ｄに沿って安定して移動する。また、パチンコ球を案内する手段として、該パチンコ球の一部が入り込み得る長孔３６ｄを採用したことで、第１球通路４０の前後方向の幅寸法をパチンコ球の直径より狭くしてもパチンコ球の移動を許容することが可能となる。すなわち、前記通路画成部材３６の前後方向の幅寸法を小さくすることができ、前記枠状装飾体２９の下部の前後方向の寸法を小さくしてスペースの有効利用を図り得るようになる。
【０１１４】
前記第２球転動部３４ａから第２球通過口３４ｆを介して第２球通路４１に通入したパチンコ球は、前記第３球転動部３５ａに移動する。第３球転動部３５ａに移動したパチンコ球は、該第３球転動部３５ａの球転動面を左右方向に移動し、前記第１球排出部３５ｆまたは第２球排出部３５ｇから遊技領域１３ａに排出される。第２球排出部３５ｇは、前記前面装飾部材４２における始動入賞装置５２の第１始動入賞口５３ａの鉛直上方から左方または右方に偏倚する第２切欠部４２ｂに対応しており、第２球排出部３５ｇで案内されて第２切欠部４２ｂから遊技領域１３ａに排出されたパチンコ球は、始動入賞装置５２の第１始動入賞口５３ａに入賞し易く難くなっている。これに対し、第１球排出部３５ｆは、前面装飾部材４２における始動入賞装置５２の第１始動入賞口５３ａの鉛直上方に位置する第１切欠部４２ａに対応しており、該第１球排出部３５ｆで案内されて第１切欠部４２ａから遊技領域１３ａに排出されたパチンコ球は、始動入賞装置５２の第１始動入賞口５３ａに入賞し易くなっている。このように、第２球転動部３４ａのパチンコ球が第３球転動部３５ａに移動したとしても、該第３球転動部３５ａを移動するパチンコ球が始動入賞装置５２の第１始動入賞口５３ａに案内される場合もあり、ステージ３１でのパチンコ球の動きを長く注目させることができ、遊技を飽きさせることなく楽しませ得る。
【０１１５】
(球導入部３２および第１ステージ部材３３の作用)
前記枠状装飾体２９に設けた前記球導入部３２の球入口３２ａに通入することなく前記第１経路３０ａを流下するパチンコ球は、前記複数の遊技釘２５に接触して流下方向が変更される。このとき、パチンコ球が遊技釘２５に接触した際の勢いや向きによっては、該パチンコ球が上方に跳ね上がることがある。この場合に、前記球導入部３２および第１ステージ部材３３の規制壁３３ｃの前面から前記前枠１４の透明板１４ａまでの離間寸法は、パチンコ球の直径よりも小さくなるよう構成されているので(図８参照)、遊技釘２５に接触して上方に跳ね上がるパチンコ球が枠状装飾体２９の内側に入り込むのを防止することができる。すなわち、パチンコ球が第１球転動部３３ａや第２球転動部３４ａ上で跳ねて後方に移動し、ステージ３１の奥側に位置する前記可動演出装置Ｅとの間に入り込んだり、前記図柄表示装置１８の表示部１８ａに当って傷付ける等の不測の事態が発生するのを防ぐことができる。
【０１１６】
前記枠状装飾体２９の内側に遊技領域１３ａからパチンコ球が飛び込むのを防止する第１ステージ部材３３は、該枠状装飾体２９の開口下端縁に位置して、前記図柄表示装置２９における窓口２９ａに臨む表示部１８ａの前側に重なっていないので、該第１ステージ部材３３によって表示部１８ａで行われる演出の視認性が低下することはない。また、第１ステージ部材３３は、遊技盤１０の盤面と透明板１４ａとの間に位置しているので、ステージ３１においてパチンコ球の動きを楽しませる領域を、奥側に広げることなく確保することができる。すなわち、パチンコ球に多様な動きを付与し得る領域を確保したもとで、ステージ３１の奥側に、他の遊技部品を配設するための大きなスペースを確保することができ、ステージ３１の後方に大型の演出装置を配置することができ、演出効果の向上が期待し得る。
【０１１７】
前記透明板１４ａに近づけた第１ステージ部材３３における第１球転動部３３ａの前端縁には、該第１球転動部３３ａを移動するパチンコ球の前方移動を規制する規制壁３３ｃが設けられているので、第１球転動部３３ａを移動するパチンコ球が透明板１４ａに接触するのを防止することができる。また、第１ステージ部材３３の第１球転動部３３ａは、図５に示す如く、前記第２球転動部３４ａおよび第３球転動部３５ａより左右方向の長さ寸法が長く設定されているので、最も手前側に位置する第１球転動部３３ａにおいてパチンコ球を左右方向に長く移動させることができる。
【０１１８】
前記球導入部３２では、球入口３２ａと球出口３２ｃとを接続する通路３２ｂを遊技盤１０の盤面に沿って延在するように形成すると共に、球出口３２ｃが前記第１ステージ部材３３の第１球転動部３３ａに直線的に接続しているので、球入口３２ａに通入したパチンコ球は通路３２ｂをスムーズに移動すると共に、第１球転動部３３ａにもスムーズに通出される。従って、球入口３２ａに複数のパチンコ球が連続して通入したとしても、該球導入部３２内でパチンコ球が球詰りするのを防ぐことができる。
【０１１９】
ここで、前記枠状装飾体２９の窓口(開口部)２９ａ内に臨んで前記第１球通路４０が連通する第２球転動部３４には、第１ステージ部材３３によって前記球入口３２ａ以外からパチンコ球が入り込まないよう構成してあるので、ステージ３１を介して前記始動入賞装置５２の第１始動入賞口５３ａに入賞する割合を設定するのが容易となる。
【０１２０】
(第１サイド装飾体５８の作用)
前記遊技領域１３ａにおける第１経路３０ａに対応する位置に配設された前記第１サイド装飾体５８は、図１５に示す如く、最上部に前記第１球通過ゲート６７を備えており、第１経路３０ａを流下するパチンコ球が第１球通過ゲート６７の始動口６７ａを通過すると、該パチンコ球の通過を第１球通過検出スイッチ６９Ａが検出する。第１球通過検出スイッチ６９Ａから球検出信号が前記メイン制御手段５７に入力されると、該メイン制御手段５７は、普図当りか否かを判定する普図当り抽選を実行する。そして、普図当り抽選の結果が当選の場合は、メイン制御手段５７は前記始動入賞ソレノイド５５を駆動制御することで前記開閉部材５４を開閉動作する。これにより、始動入賞装置５２の第２始動入賞口５３ｂへのパチンコ球の入賞が可能となる。
【０１２１】
前記第１球通過ゲート５７を通過したパチンコ球は、前記第１装飾品６０に設けられた流路変更面６０ｃで案内されて流下方向が右方に変更される。流路変更面６０ａで流下方向が変更されたパチンコ球は、前記球導入部３２の球入口３２ａに通入したり、または遊技釘２５によって流下方向が変更されつつ前記第１経路３０ａを流下する。第１経路３０ａを流下するパチンコ球が、第１サイド装飾体５８の球案内面６０ｄ上に落下すると、該球案内面６０ｄによってパチンコ球は、当該第１サイド装飾体５８に設けられている前記第１普通入賞口７３の配設側に向けて案内される。球案内面６０ｄは、遊技盤１３に設けられた前記下側案内連釘２８の延長線上に位置しており、該球案内面６０ｄ上に到来したパチンコ球は下側案内連釘２８へ向けて移動され、下側案内連釘２８に設けた隙間２８ａを落下したパチンコ球が、前記第１普通入賞口７３に入賞可能となる。これに対し、下側案内連釘２８に沿って移動するパチンコ球は、前記始動入賞装置５２の第２始動入賞口５３ｂに向けて案内されて、該第２始動入賞口５３ｂに入賞可能となる。
【０１２２】
前記第１サイド装飾体５８は、第１球通過ゲート５７(始動口６７ａ)および第１普通入賞口７３を備えて一体で扱い得るよう構成されて、該第１サイド装飾体５８を前記遊技盤１３に形成した第３装着口２３ｃに取り付けることで、第１球通過ゲート５７(始動口６７ａ)および第１普通入賞口７３を遊技盤１３に対して位置決めすることができる。すなわち、第１球通過ゲート５７および第１普通入賞口７３を個々に取り付けるための装着口を遊技盤１３に設ける必要はなく、遊技部品を取り付けるために遊技盤１３に施す加工工数を低減して製造コストを低廉に抑えることができる。また、遊技盤１３に第１サイド装飾体５８を取り付けるだけで、第１球通過ゲート５７および第１普通入賞口７３を遊技盤１３に組み付けることができるので、組み付け工数を低減して遊技部品の組み立てに要する手間を軽減し得る。更に、第１サイド装飾体５８は、遊技領域１３ａにおいて左側方に偏って内レール２１ｂの内側に沿って配設されるものであるので、遊技領域１３ａの中央側に第１球通過ゲート５７(始動口６７ａ)および第１普通入賞口７３の取り付け領域を確保する必要はなく、遊技盤１３に枠状装飾体２９として窓口２９ａの大きなものを配設することができる。すなわち、遊技盤１３の裏側に配設される図柄表示装置１８としても大型のものを採用することが可能となり、遊技の興趣向上に寄与し得る。
【０１２３】
前記第１サイド装飾体５８に、図１５に示す如く、パチンコ球の流下方向を変更する流路変更面６０ｃや球案内面６０ｄを設けたので、遊技盤１３に別途設ける遊技釘２５等の流路変更部材を減らすことができ、これによって遊技部品の点数を低減して製造コストを更に低減し得る。また、球案内面６０ｄは、第１普通入賞口７３に向けてパチンコ球を案内するべく機能するので、該球案内面６０ｄと第１普通入賞口７３との関係を一定に保持することができ、遊技盤１３への取り付け後の調節を不要とし得る。
【０１２４】
(第２緩衝部材４４の作用)
前記パチンコ機１０において、前記操作ハンドル１７の操作レバー１７ａを回転操作して打球発射装置によるパチンコ球の打球力を高め、前記第２経路３０ｂに向けてパチンコ球を打ち出す「右打ち」を行うと、該右打ちに際して第２経路３０ｂに打ち出されたパチンコ球は、前記第１緩衝部材４３に当った後に前記枠状装飾体２９における右側の庇部２９ｄの第１外周面５１ａ(図１２参照)に沿って移動する。この第１外周面５１ａの下端に、左側から右側に向かうにつれて下方傾斜する上傾斜面４８ａを形成した第１案内部４７が突設されているので、第１外周面５１ａに沿って移動するパチンコ球は、該第１案内部４７の上傾斜面４８ａで案内されて右方に位置する前記第１緩衝部４５に向けて移動し、該第１緩衝部４５の傾斜上面４５ａに衝突する。これにより、パチンコ球は減勢される。更に、図１４に示す如く、第１緩衝部４５の傾斜上面４５ａは右側から左側に向かうにつれて下方傾斜しており、該傾斜上面４５ａで左方に向けて案内されたパチンコ球は、枠状装飾体２９の庇部２９ｄにおける第２外周面５１ｂに衝突し、これによってパチンコ球は更に減勢される。
【０１２５】
実施例のパチンコ機１０では、図１４に示す如く、前記第２外周面５１ｂの下端に第２案内部４８を設けると共に、第１緩衝部４５の下方に第２緩衝部４６を設け、更に第２案内部４８の下方に第３外周面５１ｃを設けているので、第１緩衝部４５および第２外周面５１ｂとの衝突によって減勢されたパチンコ球は、第２緩衝部４６および第３外周面５１ｃとの衝突によって更に減勢されるようになっている。すなわち、右打ちによって勢いの大きなパチンコ球が第２経路３０ｂにおいて枠状装飾体２９の庇部２９ｄと第２緩衝部材４４との間を流下する際に、パチンコ球を左右方向にジグザグに移動しつつ複数回に亘って緩衝部４５,４６および外周面５１ｂ,５１ｃに衝突させて勢いを弱めることができる。そして、緩衝部４５,４６および外周面５１ｂ,５１ｃに衝突したパチンコ球が減勢される(速度が遅くなる)ことで、第２緩衝部材４４より下方に配設されている前記第２サイド装飾体７５や第２球通過ゲート８０にパチンコ球が衝突した際の衝撃を弱めることができ、該第２サイド装飾体７５や第２球通過ゲート８０が損傷したり故障するのを抑制し得る。
【０１２６】
前記第２緩衝部材４４の基板部４４ａにおける第１緩衝部４５より上側の部分であって、前記枠状装飾体２９の台板２９ｂの延出端より外方に臨む前面に、上から下に向かうにつれて遊技盤１３の前面から前方に変位するように傾斜する傾斜部４４ｄを形成してある。これにより、パチンコ球が連続して第１案内部４７と第１緩衝部４５との間に到来した場合においても、パチンコ球を傾斜部４４ｄによって滞らせることなくスムーズに流下させ得る。すなわち、第１案内部４７と第１緩衝部４５との間で球詰りを発生させることなくパチンコ球の流下する勢いを適切に低減し得る。更に、前記基板部４４ａの前面に、上下方向に離間して複数の段部４４ｅを設けてあるので、パチンコ球が段部４４ｅに接触することでも勢いを弱めることができる。
【０１２７】
ここで、前記枠状装飾体２９の庇部２９ｄにおける第３案内部４９の下方に延在する第４外周面５１ｄの下端に第４案内部５０が設けられており、第４外周面５１ｄに沿って流下するパチンコ球が第４案内部５０に接触することで、該パチンコ球の流下方向は右方に向けて変更される。図２に示す如く、第４案内部５０より下方の右側に、前記第２サイド装飾体５８の第１流路変更面９８が位置しており、該第４案内部５０で右方に向けて流下方向が変更されたパチンコ球は、該第１流路変更面９８上に落下した後に、該第１流路変更面９８に沿って前記第２球通過ゲート８０に案内される。すなわち、実施例のパチンコ機１０では、緩衝部４５,４６および外周面５１ｂ,５１ｃとの衝突によって勢いが弱められたパチンコ球は、第２球通過ゲート８０に接触する前に第２サイド装飾体７５の第１流路変更面９８に衝突して減勢されるので、第２球通過ゲート８０にパチンコ球が衝突した際の衝撃を更に弱めることができ、該第２球通過ゲート８０が損傷したり故障するのを確実に防ぐことができる。
【０１２８】
(第２サイド装飾体７５の作用)
前記遊技領域１３ａにおける第２経路３０ｂに対応する位置に配設された前記第２サイド装飾体７５は、図２２,図２３に示す如く、上部に前記第２球通過ゲート８０を備えており、第２経路３０ｂを流下するパチンコ球が第２球通過ゲート８０の始動口８０ａを通過すると、該パチンコ球の通過を第２球通過検出スイッチ６９Ｂが検出する。第２球通過検出スイッチ６９Ｂから球検出信号が前記メイン制御手段５７に入力されると、該メイン制御手段５７は、普図当りか否かを判定する普図当り抽選を実行する。そして、普図当り抽選の結果が当選の場合は、メイン制御手段５７は前記始動入賞ソレノイド５５を駆動制御することで前記開閉部材５４を開閉動作する。これにより、始動入賞装置５２の第２始動入賞口５３ｂへのパチンコ球の入賞が可能となる。
【０１２９】
前記第２球通過ゲート８０を通過したパチンコ球は、前記第２装飾品７７に設けられた第２流路変更面９９で案内されて流下方向が左方に変更される。該第２流路変更面９９で受けられて左方に案内されたパチンコ球は、前記案内連釘１０３の第１隙間１０３ａから落下した場合は、前記第２普通入賞口８８や第２アウト口８９に入球可能となる。これに対し、案内連釘１０３の第１隙間１０３ａから落下することなく案内連釘１０３上を流下するパチンコ球は、第２隙間１０３ｂから第２装飾品７７の第１誘導面１０１に落下し、該第１誘導面１０１で左方に誘導されたパチンコ球が再び第２隙間１０３ｂを介して案内連釘１０３上に移動することがある。そして、第１誘導面１０１より下側の案内連釘１０３上を流下するパチンコ球が第３隙間１０３ｃから落下した場合は、該パチンコ球が第２装飾品７７の第２誘導面１０２上に落下したり、前記特別入賞口８５の前側を流下する。更に、特別入賞口８５の前側を流下したパチンコ球は、第２装飾品７７の第３流路変更面１００によって左方に向けて案内されて、前記始動入賞装置５２の第２始動入賞口５３ｂへの入賞が可能となる。
【０１３０】
前記第２サイド装飾体７５は、第２球通過ゲート８０(始動口８０ａ)、第２普通入賞口８８、第２アウト口８９および特別入賞装置９０を備えて一体で扱い得るよう構成されて、該第２サイド装飾体７５を前記遊技盤１３に形成した第４装着口２３ｄに取り付けることで、第２球通過ゲート７５(始動口８０ａ)、第２普通入賞口８８、第２アウト口８９および特別入賞装置９０を遊技盤１３に対して位置決めすることができる。すなわち、第２球通過ゲート８０、第２普通入賞口８８、第２アウト口８９および特別入賞装置９０を個々に取り付けるための装着口を遊技盤１３に設ける必要はなく、遊技部品を取り付けるために遊技盤１３に施す加工工数を低減して製造コストを低廉に抑えることができる。また、遊技盤１３に第２サイド装飾体７５を取り付けるだけで、第２球通過ゲート８０、第２普通入賞口８８、第２アウト口８９および特別入賞装置９０を遊技盤１３に組み付けることができるので、組み付け工数を低減して遊技部品の組み立てに要する手間を軽減し得る。更に、第２サイド装飾体７５は、遊技領域１３ａにおいて右側方に偏って第３盤面保護部材２０ｃの内側に沿って配設されるものであるので、遊技領域１３ａの中央側に第２球通過ゲート８０(始動口８０ａ)、第２普通入賞口８８、第２アウト口８９および特別入賞装置９０の取り付け領域を確保する必要はなく、遊技盤１３に枠状装飾体２９として窓口２９ａの大きなものを配設することができる。すなわち、遊技盤１３の右下隅に第２球通過ゲート８０(始動口８０ａ)、第２普通入賞口８８、第２アウト口８９および特別入賞装置９０を纏めて配置することで、遊技盤１３の中央裏側に配設される図柄表示装置１８としても大型のものを採用することが可能となり、遊技の興趣向上に寄与し得る。また、「右打ち」に際してパチンコ球が打ち出される第２経路３０ｂに配設される第２サイド装飾体７５に特別入賞口８５(特別入賞装置９０)を設けているので、該特別入賞口８５には、「右打ち」時にのみパチンコ球が入賞か可能である。すなわち、「右打ち」時におけるパチンコ球の流下速度は、「左打ち」時に較べて速いので、第２サイド装飾体７５に特別入賞口８５(特別入賞装置９０)を設けることで、大当り遊技におけるラウンド遊技の消化速度を上げることができる。
【０１３１】
前記第２サイド装飾体７５に、パチンコ球の流下方向を変更する流路変更面９８,９９,１００や誘導面１０１,１０２を設けたので、遊技盤１３に別途設ける遊技釘２５等の流路変更部材を減らすことができ、これによって遊技部品の点数を低減して製造コストを更に低減し得る。また、第１流路変更面９８は、第２球通過ゲート８０(始動口８０ａ)に向けてパチンコ球を案内するべく機能し、第２流路変更面９９は、第２普通入賞口８８に向けてパチンコ球を案内するべく機能するので、該流路変更面９８,９９と始動口８０ａや第２普通入賞口８８との関係を一定に保持することができ、遊技盤１３への取り付け後の調節を不要とし得る。更に、誘導面１０１,１０２は、特別入賞装置９０の特別入賞口８５に向けてパチンコ球を案内するべく機能するので、該誘導面１０１,１０２と特別入賞口８５との関係を一定に保持することができ、遊技盤１３への取り付け後の調節を不要とし得る。
【０１３２】
ここで、実施例では、前記遊技釘２５の調節によって、第１経路３０ａに配設される第１サイド装飾体５８に設けられる第１球通過ゲート６７へのパチンコ球の通入確率が、第２経路３０ｂに配設される第２サイド装飾体７５に設けられる第２球通過ゲート８０へのパチンコ球の通入確率より低くなるよう設定されている。そして、このように球通過ゲート６７,８０に対するパチンコ球の通入確率を異なるようにした状態において、「左打ち」の場合では、第１経路３０ａを流下するパチンコ球が第１球通過ゲート６７を通過しなくても、該パチンコ球が前記始動入賞装置５２の第１始動入賞口５３ａに入賞して特図当り判定が実行される可能性があり、第１球通過ゲート６７へのパチンコ球の通入確率を低く設定したとしても、興趣の低下を抑制し得る。これに対し、「右打ち」の場合では、第２経路３０ｂを流下するパチンコ球が始動入賞装置５２の第１始動入賞口５３ａに入賞しないように設定されているので、第２球通過ゲート８０をパチンコ球が通過しない限り、特図当り判定が実行される可能性はない。すなわち、第２球通過ゲート８０へのパチンコ球の通入確率を高く設定して、該第２球通過ゲート８０へのパチンコ球の通過によって普図当り判定を実行させ、該普図当り判定の当選によって始動入賞装置５２の開閉部材５４を開放することで、第２始動入賞口５３ｂへの入賞を可能として特図当り判定を実行させ得るようにして興趣の低下を抑制し得るようになっている。
【０１３３】
(第１および第２球通過ゲート６７,８０の作用)
次に、前記第１および第２球通過ゲート６７,８０の作用につき説明する。なお、両球通過ゲート６７,８０の構成は同じであるので、第１球通過ゲート６７の作用についてのみ説明する。
【０１３４】
前記第１発光装置６３のゲート用発光体６３ｃ,６３ｃを発光すると、該光は前記スイッチ保持体６８におけるガイド部７１ｂ,７１ｂの後端から入射し、該ガイド部７１ｂ,７１ｂによりスイッチ保持体６８における遊技盤１０の前側に臨む部分まで導かれ、該スイッチ保持体６８が明輝する。前述したように、第１球通過ゲート６７は、パチンコ球の通過が第２始動入賞口５３ｂを開放するか否かの普図当り抽選の契機となることから、該ゲート６７に対する遊技者の注目度は高く、該第１球通過ゲート６７における遊技盤１０の前側に位置するスイッチ保持体６８を明輝させることで、遊技者の関心をより高めることができる。実施例では、スイッチ保持体６８に設けられて第１球通過検出スイッチ６９Ａの両側を後方に延在するガイド部７１ｂ,７１ａを介してゲート用発光体６３ｃ,６３ｃの光を前側に導びいてスイッチ保持体６８の全体を発光装飾するよう構成してあるので、スイッチ保持体６８における遊技盤１０の前側に臨む部分を大型化することなく該スイッチ保持体６８を発光装飾して装飾性を高めることができる。また、遊技領域を狭めることもない。
【０１３５】
前記ゲート用発光体６３ｃ,６３ｃは、ガイド部７１ｂ,７１ｂに対して該ガイド部７１ｂ,７１ｂの延在方向の真後から照射するよう構成してあるので(図２０参照)、スイッチ保持体６８における遊技盤１０の前側に臨む部分まで効果的に光を導いて該スイッチ保持体６８を強く発光装飾することができる。また、ガイド部７１ｂ,７１ｂの後端面(導光面)は、ゲート用発光体６３ｃ,６３ｃから照射される光の照射範囲より広く設定されているので、該後端面(導光面)から内部に光を効率的に導入し得る。更に、ガイド部７１ｂ,７１ｂに後端から入射した光は、ガイド部７１ｂ,７１ｂにおける傾斜する外側面側で内側に向けて反射するようになっているので、ゲート用発光体６３ａ,６３ａの光がスイッチ保持体６８の前面に点光となって表われるのは防止される。更にまた、スイッチ保持体６８の内面には光拡散加工が施されているので、ガイド部７１ｂ,７１ｂの外側面側で反射した光が該光拡散加工によって拡散してスイッチ保持体６８の全体をより効果的に明輝させることができる。
【０１３６】
前記スイッチ保持体６８の始動口６７ａを画成する前壁部６８ａおよび側壁部６８ｂ,６８ｂ(前半部７０,７０)の上端部には、該スイッチ保持体６８に保持されている第１球通過検出スイッチ６９Ａにおける球通過孔６９ｂを囲むように上側に張り出す上規制壁７２を設けられているので、前記第１経路３０ａを流下するパチンコ球が直接第１球通過検出スイッチ６９Ａに衝突するのを該上規制壁７２によって防ぐことができる。また、スイッチ保持体６８における第１球通過検出スイッチ６９Ａを囲っている前壁部６８ａおよび側壁部６８ｂ,６８ｂ(前半部７０,７０)は、上規制壁７２の厚み分だけ上下寸法が大きくなっているので強度が高く、第１経路３０ａを流下するパチンコ球がスイッチ保持体６８に衝突した際の衝撃から第１球通過検出スイッチ６９Ａを保護し得る。更に、スイッチ保持体６８は、前記第１基体５９に対して側壁部６８ｂ,６８ｂに設けた係合溝７１ｄ,７１ｄと取付口６５に設けた被係合部６４ｃ,６４ｃとの嵌合構造によって位置決め保持されているので、パチンコ球がスイッチ保持体６８に衝突した際の衝撃に対する耐性が高く、長期に亘って安定した保持状態を保つことができる。
【０１３７】
また、前記第１球通過ゲート６７では、図２０に示す如く、前記第１球通過検出スイッチ６９Ａがスイッチ保持体６８に保持された状態において、前記スイッチ本体６９ａの左右両側面が、スイッチ保持体６８の左右両側の側壁部６８ｂ,６８ｂの内側面に当接している。すなわち、一対の側壁部６８ｂ,６８ｂの間にスイッチ本体６９ａが存在している状態では、前記第１基体５９に設けた被係合部６４ｃ,６４ｃを側壁部６８ｂ,６８ｂの係合溝７１ｄ,７１ｄから抜き外す側壁部６８ｂ,６８ｂの内側への弾性変形が規制されている。従って、遊技中においてスイッチ保持体６８の左右両側の側壁部６８ｂ,６８ｂにパチンコ球が接触したり衝突したとしても、前記係合溝７１ｄ,７１ｄと被係合部６４ｃ,６４ｃとの嵌合が外れることはなく、第１基体５９からスイッチ保持体６８が脱落するのは確実に防止される。
【０１３８】
前記第１球通過ゲート６７では、図１８に示す如く、前記第１基体５９における取付口６５の下端縁に前方に延出する逆付け防止片６４ｄ,６４ｄを設けると共に、スイッチ保持体６８に、前半部７０にのみ上側に突出する前記上規制壁７２を設け、逆付け防止片６４ｄ,６４ｄと上規制壁７２とが干渉しない状態でのみ、第１基体５９に対してスイッチ保持体６８が適正な向きで取り付けられるよう構成してある。すなわち、前記スイッチ保持体６８の施されている装飾が上下逆向きとなった状態で、スイッチ保持体６８が第１基体５９に取り付けられてしまうのを防止し得る。また、スイッチ保持体６８における前壁部６８ａと一方の側壁部６８ｂとが連設される隅部内面に突部６８ｃを突設すると共に、前記第１球通過検出スイッチ６９Ａのスイッチ本体６９ａにおける一方の角部に逆付け規制面６９ｃを設け、突部６８ｃと逆付け規制面６９ｃとが整合する状態でのみ、スイッチ保持体６８に対して第１球通過検出スイッチ６９Ａが適正な向きで取り付けられるよう構成してある。すなわち、前記第１球通過検出スイッチ６９Ａが上下逆向きとなった状態でスイッチ保持体６８に取り付けられてしまうのを防止し得る。
【０１３９】
前記第１球通過ゲート６７では、第１基体５９に対して前側から取り付けられたスイッチ保持体６８に対し、第１球通過検出スイッチ６９Ａを第１基体５９の後側から取付口６５に挿入することで保持される。この状態で、第１球通過検出スイッチ６９Ａの後端に第１基体５９に設けた係合フック６６の係合爪６６ａが係止することで、該第１球通過検出スイッチ６９Ａの後方への移動は規制される(図２１参照)。スイッチ保持体６８に第１球通過検出スイッチ６９Ａが保持された状態では、該スイッチ６９Ａのスイッチ本体６９ａの両側面が、スイッチ保持体６８の左右両側の側壁部６８ｂ,６８ｂの内側面に全面的に当接すると共に、第１球通過検出スイッチ６９Ａにおける第１基体５９から後方に延出している部分の上下面が、該第１基体５９に設けた上受部６４ｂおよび下受部６４ａで支持されている。すなわち、第１球通過検出スイッチ６９Ａは安定して保持されて、スイッチ保持体６８にパチンコ球が衝突した際の衝撃等によって位置ズレするのは防止される。
【０１４０】
(変更例)
本願は前述した実施例の構成に限定されるものではなく、その他の構成を適宜に採用することができる。
(1) 実施例では、第１球転動部の後側に第２球転動部を設ける場合で説明したが、第１球転動部の前側に第２球転動部を設ける構成を採用することができ、この構成では第１球転動部の前端縁または第２球転動部の後端縁に仕切壁を設けるようにすればよい。
(2) 実施例では、球転動部が前後に２列で設けられた場合で説明したが、３列以上の球転動部を並列して設け、前後の球転動部を仕切る各仕切壁に球通過部を夫々設けると共に、該球通過部の左右方向の中央から左右方向の何れか一方側に偏倚した位置に接触部を設ける構成を採用し得る。この構成において、前後に離間して並設される仕切壁に設けられる球通過部の位置を左右方向に偏倚して設けたり、接触部を前後方向で千鳥状となる位置に設けてもよい。
(3) 接触部の形状は、球面状に限らず、角形やその他の各種形状を採用し得る。
(4) 実施例では、第２球転動部において、始動入賞装置(第１始動入賞口)への入賞確率の高い第１球通路に連通する第１球通過口側に偏倚した位置に接触部を設けたが、始動入賞装置(第１始動入賞口)への入賞確率が第１球通路に比べて低い第２球通路に連通する第２球通過口側に偏倚した位置に接触部を設ける構成を採用できる。
(5) 実施例では、接触部を挟んで左側の球転動面と右側の球転動面との勾配を、接触部が偏倚する一方側より他方側が大きくなるよう構成したが、逆であってもよい。また、接触部を挟んで左側の球転動面と右側の球転動面との勾配を同じとしてもよい。
【０１４１】
(6) 実施例では、パチンコ球を減勢するための案内部および緩衝部を第２経路側に臨むように設けたが、第１経路側に臨むように設ける構成であってもよい。すなわち、枠状装飾体における第１経路に臨む庇部に案内部を設けると共に、該枠状装飾体における第１経路に臨む台板に第２緩衝部材を配設する構成を採用し得る。
(7) 枠状装飾体に設けられる案内部および第２緩衝部材に設けられる緩衝部の数は、実施例で示す数に限定されるものではなく、案内部および緩衝部を任意の数に設定することができる。
(8) 実施例では、緩衝部を備えた第２緩衝部材を枠状装飾体に着脱自在に配設する構成としたが、緩衝部を枠状装飾体と一体に形成してもよい。また、第２緩衝部材を枠状装飾体の庇部に対向するレール部に着脱自在に配設するようにしたり、該レール部に一体に形成する構成を採用し得る。
(9) 実施例では、第２緩衝部材の基板部における流下経路の上流側の端部を、枠状装飾体の台板の外端縁より外側に延在するよう構成したが、該基板部における流下経路の上流側の端部が、台板の外端縁と整合して外側に延在しない構成であってもよい。
(10) 実施例では、パチンコ球が前側を通る基板部の前面に、左右方向の全幅に亘って延在する段部を上下方向に離間して複数設けたが、パチンコ球との接触によって該パチンコ球を減勢可能な段部であれば、幅方向に連続するものに限らず幅方向に離間するものであってもよい。
【０１４２】
(11) 実施例では、メイン制御手段とサブ制御手段とで分けて各種制御を行うようにしたが、メイン制御手段で行う制御をサブ制御手段で行うようにしたり、逆にサブ制御手段が行う制御をメイン制御手段で行うようにしてもよい。すなわち、メイン制御手段とサブ制御手段とを分けることなく１つの制御手段で、パチンコ機の全体を制御する構成を採用し得る。
(12) 実施例では、球通過ゲートと普通入賞口とを設けた第１サイド装飾体と、球通過ゲート、普通入賞口および特別入賞装置を設けた第２サイド装飾体とを挙げたが、サイド装飾体に配設される遊技部品の組み合わせとしては、第１始動入賞口と特別入賞装置、第１始動入賞口と普通電動入賞装置(第２始動入賞口)、球通過ゲートと普通電動入賞装置(第２始動入賞口)等であってもよい。また、サイド装飾体に、球通過ゲート、第１始動入賞口および特別入賞装置を配設する構成や球通過ゲート、普通電動入賞装置(第２始動入賞口)および特別入賞装置を配設する構成を採用することができる。そして、これらの構成においては、サイド装飾体の上側から下側に球通過ゲート、第１始動入賞口および特別入賞装置の順、または球通過ゲート、普通電動入賞装置(第２始動入賞口)および特別入賞装置の順で各部品を配設し、球通過ゲートを通過したパチンコ球が第１始動入賞口、普通電動入賞装置(第２始動入賞口)、特別入賞装置の特別入賞口に入賞可能な構成を採用できる。なお、普通電動入賞装置とは、所要条件の成立を契機として駆動手段によって開閉部材が開閉作動される電動式の入賞装置である。
(13) サイド装飾体に、入賞口(始動口)と、該入賞口に入賞したパチンコ球によって機械的に開閉部材が開閉作動する機械式の入賞装置を配設する構成を採用し得る。
(14) 実施例では、遊技領域の左右両側縁部にサイド装飾体を配設した場合で説明したが、左右何れか一方にのみサイド装飾体を配設する構成であってもよい。また、サイド装飾体は、枠状装飾体の上下方向の中間位置から下側に配設されるものに限らず、枠状装飾体の上下方向の中間位置から上側に配設されるものであってもよい。
【０１４３】
(15) 実施例では、球導入部に通入したパチンコ球を前側の第１球転動部に通出し、該第１球転動部から後側の第２球転動部へ移動したパチンコ球を第１球通路および第２球通路に振り分けるよう構成したが、前側の第１球転動部に第１球通路に連通する第１球通過口および第２球通路に連通する第２球通過口を設けると共に、球導入部に通入したパチンコ球を後側の第２球転動部に通出するようにして、該第２球転動部から前側の第１球転動部へ移動したパチンコ球を第１球通路および第２球通路に振り分ける構成を採用し得る。
(16) 実施例では、第１球転動部の後側に、該第１球転動部から移動したパチンコ球を振り分ける第２球転動部を設けた場合で説明したが、第２球転動部を省略して第１球転動部に、第１球通路に連通する第１球通過口および第２球通路に連通する第２球通過口とを設ける構成を採用することができる。
(17) 実施例の第１球転動部は、始動入賞装置の上方に位置しているので、該第１球転動部における始動入賞装置(第１始動入賞口)の真上で開口する排出口を設け、該排出口から排出されるパチンコ球が高確率で始動入賞装置(第１始動入賞口)に入賞する構成を採用し得る。
(18) 実施例では、第１球転動部の左右方向の一端部に、球導入部の球出口が側方から接続するよう構成したが、第１球転動部の左右方向の一端部に、球導入部の球出口が後方から接続する構成であってもよい。すなわち、球入口に通入して通路を通して球出口から通出するパチンコ球が第１球転動部に後側から通入し、該通入したパチンコ球が第１球転動部を左右方向に移動する構成を採用し得る。
(19) 実施例では、枠状装飾体の窓口内に遊技領域からパチンコ球が飛び込むのを防止する第１ステージ部材(乗上防止部)に、左右方向に直線的に延在する第１球転動部を設けたが、該第１球転動部を前後方向に蛇行するように構成することができる。
(20) 実施例では、第３球転動部における左右方向の中央部に、始動入賞装置(第１始動入賞口)の真上にパチンコ球を排出可能な第１球排出部を設けたが、該第１球排出部からのパチンコ球の排出を規制するよう構成し、第３球転動部からは第２球排出部のみからパチンコ球が遊技領域に排出されるように構成することができる。すなわち、第１ステージ部材(乗上防止部)によって遊技領域からのパチンコ球の飛び込みが防止される第１球転動部や第２球転動部にのみ、パチンコ球が高確率で始動入賞装置(第１始動入賞口)に入賞可能な排出経路を設け、遊技領域からパチンコ球が飛び込む可能性のある第３球転動部においては、パチンコ球が始動入賞装置(第１始動入賞口)に入賞する可能性の低い排出経路のみを設ける構成を採用可能である。
【０１４４】
(21) 実施例では、球通過ゲートのスイッチ保持体に係合溝を設けると共に、該係合溝に嵌合する被係合部を基体に設けたが、基体に係合溝を設けると共に、スイッチ保持体に係合溝に嵌合する被係合部を設ける構成を採用し得る。
(22) 実施例では、球通過ゲートのスイッチ保持体を、基体に対して嵌合構造によって位置決め保持するよう構成したが、スイッチ保持体を基体に対して着脱自在に取り付ける取着手段は、スイッチ保持体または基体の一方に設けられた係合爪と、他方に設けられて係合爪が係脱自在に係合する係合部とで構成したものであってもよい。また、取着手段は、スイッチ保持体を基体にネジ止めする構成であってもよい。
(23) 実施例では、基体に設けた１つの取付口にスイッチ保持体の後半部(ガイド部)および球通過検出スイッチのスイッチ本体が挿通されるよう構成したが、スイッチ保持体の後半部(ガイド部)が挿通される口(貫通孔)とスイッチ本体が挿通される口(挿通口)とを基体(ベース部材)に別々に形成した構成を採用し得る。
(24) 実施例では、スイッチ保持体における導光部として機能するガイド部に、真後から発光体の光が入射するよう構成したが、該ガイド部に対して上下方向や左右方向から光を入射するように発光体を配置する構成であってもよい。この構成においては、ガイド部における光の入射部分以外の表面に光を透過しない塗料等を塗布して、入射された光を前方に導びくようにすればよい。
(25) 実施例では、スイッチ保持体に設けた開口部に通入したパチンコ球を検出する検出手段として、第２始動入賞口を開閉する普通図当り抽選の契機となる球通過検出スイッチを挙げたが、該検出手段はこれに限られるものでなく、例えば特別入賞口を開閉する特図当り抽選の契機となる始動入賞検出スイッチであってもよい。
(26) 遊技機としては、パチンコ機に限られるものではなく、アレンジボール機やパチンコ球を用いたスロットマシン等、その他各種の遊技機であってもよい。
【符号の説明】
【０１４５】
１３  遊技盤
１３ａ  遊技領域
１４ａ  透明板(透明部材)
２９  枠状装飾体
３２  球導入部
３２ａ  球入口
３２ｂ  通路
３２ｃ  球出口
３３  第１ステージ部材(乗上防止部)
３３ａ  第１球転動部(ステージ部)
３３ｃ  規制壁
３４ａ  第２球転動部(ステージ部)
３５ａ  第３球転動部(別のステージ部)
３５ｆ  第１球排出部(排出部)
３５ｇ  第２球排出部(排出部)
４０  第１球通路(球排出経路)
４２ａ  第１切欠部(排出部)
４２ｂ  第２切欠部(排出部)
５２  始動入賞装置(入賞装置)
【図１】
2014236933.tif 000003
【図２】
2014236933.tif 000004
【図３】
2014236933.tif 000005
【図４】
2014236933.tif 000006
【図５】
2014236933.tif 000007
【図６】
2014236933.tif 000008
【図７】
2014236933.tif 000009
【図８】
2014236933.tif 000010
【図９】
2014236933.tif 000011
【図１０】
2014236933.tif 000012
【図１１】
2014236933.tif 000013
【図１２】
2014236933.tif 000014
【図１３】
2014236933.tif 000015
【図１４】
2014236933.tif 000016
【図１５】
2014236933.tif 000017
【図１６】
2014236933.tif 000018
【図１７】
2014236933.tif 000019
【図１８】
2014236933.tif 000020
【図１９】
2014236933.tif 000021
【図２０】
2014236933.tif 000022
【図２１】
2014236933.tif 000023
【図２２】
2014236933.tif 000024
【図２３】
2014236933.tif 000025
【図２４】
2014236933.tif 000026
【図２５】
2014236933.tif 000027
【図２６】
2014236933.tif 000028
【図２７】
2014236933.tif 000029